(57)【特許請求の範囲】
【請求項１】
シャワー吐出口を有する頭部と水質浄化用カートリッジを交換可能に収容する把持部とを一体に形成し、前記水質浄化用カートリッジには外周面側から内面側へ抜ける浄化流路を形成し、前記把持部の水質浄化用カートリッジ収容箇所の上流側または下流側に浄水と原水とを切り換える流路切換弁を設け、この流路切換弁を前記把持部の中心軸に対して交差方向に移動する弁体を設けた平行移動式遮断弁として形成するとともに流路切換弁配置位置の外部に前記流路切換弁の押しボタン式操作部を配置して前記流路切換弁を外部より操作可能に形成し、さらに前記頭部の吐出口の上流側に前記流路切換弁とは独立に機能してシャワー吐出とストレート吐出とを切り換える吐出切換弁を設け、この吐出切換弁を弁座流路に対して交差方向に弁体が移動する遮断弁として形成するとともに吐出切換弁配置位置近傍の外部に前記吐出切換弁の操作部を配置して前記吐出切換弁を外部より操作可能に形成したことを特徴とする浄水機能付きシャワーヘッド。
【請求項２】
前記流路切換弁が前記把持部に固定された筒状の弁座と、この弁座に内嵌されて前記筒状の弁座の軸方向に移動する弁体とを有し、原水と浄水のいずれか一方を弁座の内部を通過する流路として形成したことを特徴とする請求項１記載の浄水機能付きシャワーヘッド。
【請求項３】
前記水質浄化用カートリッジには外周面にフィルタを設けたことを特徴とする請求項１記載の浄水機能付きシャワーヘッド。
【請求項４】
シャワー吐出口を有する頭部と水質浄化用カートリッジを交換可能に収容する把持部とを一体に形成し、前記水質浄化用カートリッジには内面にフィルタを設け、内面側から外周面側へ抜ける浄化流路を形成し、前記把持部の水質浄化用カートリッジ収容箇所の上流側または下流側に浄水と原水とを切り換える流路切換弁を設け、この流路切換弁を前記把持部の中心軸に対して交差方向に移動する弁体を設けた平行移動式遮断弁として形成するとともに流路切換弁配置位置の外部に前記流路切換弁の押しボタン式操作部を配置して前記流路切換弁を外部より操作可能に形成し、さらに前記頭部の吐出口の上流側に前記流路切換弁とは独立に機能してシャワー吐出とストレート吐出とを切り換える吐出切換弁を設け、この吐出切換弁を弁座流路に対して交差方向に弁体が移動する遮断弁として形成するとともに吐出切換弁配置位置近傍の外部に前記吐出切換弁の操作部を配置して前記吐出切換弁を外部より操作可能に形成したことを特徴とする浄水機能付きシャワーヘッド。
【請求項５】
前記吐出切換弁を弁座流路に対して平行な軸の回りに弁体を回動する回動式遮断弁として形成したことを特徴とする請求項１記載の浄水機能付きシャワーヘッド。
【請求項６】
前記吐出切換弁を弁軸に対して前記弁体の板面を略垂直に向け、アーム部を介して前記弁軸から離間した位置に前記板面を配置して、前記弁体を弁軸回りに回動する回動式遮断弁として形成したことを特徴とする請求項５記載の浄水機能付きシャワーヘッド。
【発明の詳細な説明】
【０００１】
【発明の属する技術分野】
本発明は、台所または厨房、洗面所あるいは風呂場等で用いられ、使用時に吐出する水および／または湯を浄化する能力を具備した浄水機能付きシャワーヘッドに関する。
【０００２】
【従来の技術】
従来、洗面所あるいは風呂場等で用いられる洗面装置やシャワー装置等に取り付けられ、水、湯、または湯水混合水（以下、単に混合水という）の水質浄化能力を具備したシャワーヘッドには、例えば特開平 9−299832号記載のシャワーヘッドがあった。
このシャワーヘッドでは、把持部内に浄水部材を設け、把持部のヘッド本体に近接した位置に流路切換部材を設けて、片手で流路を切換えることができるようにし、この流路切換部材により浄水部材を設けた方の流路と浄水部材のない流路のいずれか一方を選択して、選択された流路に供給された水を流すことにより浄水と原水のいずれか一方が吐出できるようにしている。
そして、この流路の選択には、ヘッド本体の下端部（把持部上端部）に複数の開口を開設した固定部材を挿嵌し、固定部材の開口開設間隔と同一間隔で形成された複数の切欠き部を有する切換円筒部を、固定部材に対して相対的に回動可能に設けて、切換円筒部に固定された操作摘みを指で操作することによって、切換円筒部の切欠き部を固定部材の開口位置におけるいずれの開口に合わせるかにより、流路の選択を行わせるようにしている。
【０００３】
〔問題点〕
従来の片手で浄水と原水とを切換使用するシャワーヘッドでは、切換円筒部に固定された操作摘みを指で操作することによって、切換円筒部の切欠き部を固定部材の開口位置におけるいずれの開口に合わせるかにより、流路の選択を行わせるようにしているため、複雑形状の流路切換部材が必要となり、また、操作についても、指を把持部の周方向へ振らなければならないため操作性が悪く、不自然な力の入れかたをしなければならない。
このため、より操作性が良く、部材の形状も簡単で、流路切換構造も簡単な流路切換機構を有するシャワーヘッドが望まれていた。
【０００４】
【発明が解決しようとする課題】
本発明は、従来の技術における前記問題点に鑑みて成されたものであり、これを解決するため具体的に設定された課題は、操作性が良く、原水と浄水との流路の切換が容易であり、部材の形状も簡単で、流路切換構造も簡単な流路切換機構を有し、取扱容易かつ製造容易な浄水機能付きシャワーヘッドを提供することにある。
【０００５】
【課題を解決するための手段】
前記課題を効果的に解決できるように構成した手段としての、本発明に係る浄水機能付きシャワーヘッドは、シャワー吐出口を有する頭部と水質浄化用カートリッジを交換可能に収容する把持部とを一体に形成し、この把持部の水質浄化用カートリッジ収容箇所の上流側または下流側に浄水と原水とを切り換える流路切換弁を設け、この流路切換弁を前記把持部の中心軸に対して交差方向に移動する弁体を設けた平行移動式遮断弁として形成するとともに流路切換弁配置位置の外部に前記流路切換弁の押しボタン式操作部を配置して前記流路切換弁を外部より操作可能に形成し、さらに前記頭部の吐出口の上流側に前記流路切換弁とは独立に機能してシャワー吐出とストレート吐出とを切り換える吐出切換弁を設け、この吐出切換弁を弁座流路に対して交差方向に弁体が移動する遮断弁として形成するとともに吐出切換弁配置位置近傍の外部に前記吐出切換弁の操作部を配置して前記吐出切換弁を外部より操作可能に形成したことを特徴とするものである。
【０００６】
また、本発明に係る浄水機能付きシャワーヘッドは、前記流路切換弁が前記把持部に固定された筒状の弁座と、この弁座に内嵌されて前記筒状の弁座の軸方向に移動する弁体とを有し、原水と浄水のいずれか一方を弁座の内部を通過する流路として形成したことを特徴とする。
また、本発明に係る浄水機能付きシャワーヘッドは、前記水質浄化用カートリッジには外周面にフィルタを設け、外周面側から内面側へ抜ける浄化流路を形成したことを特徴とする。
また、本発明に係る浄水機能付きシャワーヘッドは、前記水質浄化用カートリッジには内面にフィルタを設け、内面側から外周面側へ抜ける浄化流路を形成したことを特徴とする。
また、本発明に係る浄水機能付きシャワーヘッドは、前記吐出切換弁を弁座流路に対して平行な軸の回りに弁体を回動する回動式遮断弁として形成したことを特徴とする。
また、本発明に係る浄水機能付きシャワーヘッドは、前記吐出切換弁を弁軸に対して前記弁体の板面を略垂直に向け、アーム部を介して前記弁軸から離間した位置に前記板面を配置して、前記弁体を弁軸回りに回動する回動式遮断弁として形成したことを特徴とする。
【０００７】
【発明の実施の形態】
本発明における以下の実施の形態では、把持部の外面から突出した押しボタンを有する流路切換弁を設けた場合について、具体的に説明する。
なお、この実施の形態は、発明の趣旨をより良く理解させるため具体的に説明するものであり、特に指定のない限り、発明内容を限定するものではない。
【０００８】
〔第１実施形態〕
〔構成〕
ここで用いられる浄水機能付きシャワーヘッドは、通常、台所の流しで混合水栓に直接またはホースを介して間接的に接続され、押しボタン式操作部を操作することにより混合水を浄化して使用することができる流路切換弁を把持部に設けたシャワーヘッドとして形成する。
このため、浄水機能付きシャワーヘッド１００は、図１，２の外観図に示すように、図示しない混合水栓または混合水栓に設けられたホースに取付けできる端部を有する把持部１１０と、この把持部１１０の混合水栓接続側とは反対側の端部でシャワー吐出できる頭部１２０とを備える。
【０００９】
把持部１１０は、頭部１２０に直結した筒部１１１と混合水栓接続側の筒部１１２とに中間部で分け、この中間部に両筒部１１１，１１２を着脱自在かつ一体的に組み合わせることができるようにするねじ結合部を形成した中継部１１３を形成し、この中継部１１３の螺合を解除して筒部１１１と筒部１１２を分離することにより、把持部１１０の内部に水質浄化用カートリッジ１３０（図３，４参照）を収容することができるようにし、そして、混合水栓接続側の端部には厚肉円筒状のホース接続部１１４を設け、その先端部にホース取付ねじ１１５を形成して、ホースとの着脱を容易にする。
また、把持部１１０の頭部直近の端部には、流路切換弁１４０（図４，５参照）の操作端である押しボタン１４１を把持部外周面より突き出して、把持部１１０の外部から流路切換弁１４０を操作できるように形成する。
【００１０】
頭部１２０は、図３〜５にも示すように、頂部が曲面に形成され主要部が略円筒状に形成されて内部に特別な突出部が設けられていない空洞となっており、把持部１１０から流入した混合水が滞留する空間（空洞）１２０ａを頭部外皮１２０ｂにより形成するとともに、混合水が一様に吐出する吐出面を有するシャワープレート１２１を着脱自在に形成し、そのシャワープレート１２１の中央部にストレート吐出口１２２を設け、その周囲を囲むようにシャワー吐出口１２３を設け、ストレート吐出とシャワー吐出とを切り換える吐出切換弁１５０を内設し、その吐出切換弁１５０の操作部となる切換レバー１５１をシャワープレート１２１の外部に突出配置する。
【００１１】
水質浄化用カートリッジを収容した浄水機能付きシャワーヘッド１００は、図３〜５に示すように、水質浄化用カートリッジ１３０の外周側流路１３１を原水流路の一部とし、水質浄化用カートリッジ１３０の中央空間部１３２を浄水流路の一部として利用する。
この場合の水質浄化用カートリッジ１３０は、中心軸と同心的に軸方向に長い貫通孔（中央空間部１３２）を設けて筒状に形成した活性炭を主成分とする水質浄化材１３３と、その外周面に不織布、スポンジまたは網等からなるフィルタ１３４を周設したものに、把持部内で同心的に嵌め合い位置固定するための端部用キャップ１３０ａ，１３０ｂを各端部に取り付けたものである。
【００１２】
把持部１１０の頭部側に位置する筒部１１１には、内部に水質浄化用カートリッジ１３０の下流側（頭部側）の端部用キャップ１３０ａを差し込み固定する筒部１１１と同軸な円筒形状のカートリッジ受け１１６を突設し、そのカートリッジ受け１１６の下流側に流路切換弁１４０を内蔵し、流路切換弁１４０の押しボタン１４１を筒部１１１の上部外周面から出入自在に突出させる。
また、把持部１１０のホース接続側に位置する筒部１１２には、内部に水質浄化用カートリッジ１３０の上流側（ホース接続側）の端部用キャップ１３０ｂを外周側から抑える複数のリブ１１２ａ，…，１１２ａを立設する。
【００１３】
これにより、筒部１１１の内部に設けられたカートリッジ受け１１６に水質浄化用カートリッジ１３０の下流側の端部用キャップ１３０ａの挿入端を差し込み、中継部１１３を螺合して、筒部１１１と筒部１１２とを一体に結合するときには、各リブ１１２ａ，…，１１２ａによって水質浄化用カートリッジ１３０の上流側の端部用キャップ１３０ｂの終端部が挟持され、水質浄化用カートリッジ１３０の芯出しおよび位置固定ができ、把持部１１０の中に水質浄化用カートリッジ１３０を略同軸的に収容できるようになる。
【００１４】
頭部１２０の内部に形成された空間１２０ａの下流側であって吐出切換弁収容空間の上流側には、空間１２０ａとシャワー吐出面上流側空間（吐出切換弁収容空間）１２０ｃとの間を仕切る仕切部材１２５を設け、その仕切部材１２５の中央部に集合通過部材１２６を設ける。
仕切部材１２５の下流側に設けられる吐出切換弁１５０は、その弁体１５０ａの先端部が集合通過部材１２６の直下に位置できるように配置する。
集合通過部材１２６および吐出切換弁１５０の弁体１５０ａが上下に配置された位置の、さらに下流側には、シャワープレート１２１に形成されたストレート吐出口１２２に連通するストレート吐出用流路形成部材１２７を立設する。
【００１５】
吐出切換弁１５０は、弁体１５０ａを集合通過部材１２６から僅かに隙間をあけた直近の下流に配置し、弁体１５０ａの下面をストレート吐出用流路形成部材１２７の上端に形成された開口１２７ａに接触できる直近の位置に配置して、ストレート吐出用流路形成部材１２７の蓋として上部から覆い被さることができるようにし、また、切換レバー１５１の操作によって、弁体１５０ａが開口１２７ａの真上の位置から弁体１５０ａの全体が開口１２７ａの位置から外れるまでの範囲で、弁体１５０ａがストレート吐出用流路形成部材１２７の上端に出入り自在に回動できるように、切換レバー１５１の回動角度を設定して、弁体１５０ａの全体が開口１２７ａの位置から外れると、集合通過部材１２６から流出する混合水がすべて開口１２７ａからストレート吐出流路１２７ｂに流入するように形成する。
【００１６】
筒部１１１が一体に形成された頭部１２０には、図６に示すように、筒部１１１の上周面に開口された流路切換弁組込部１１１ａを設け、内部に形成された筒状の弁座１４２に略円柱状の弁体１４３を内嵌し、弁体１４３と筒部１１１の下側の内面との間には弁体１４３を軸方向に付勢するコイルスプリング１４４を介装し、弁体１４３と操作部材としての押しボタン１４１との間には、第１切換こま１４５ａ、第２切換こま１４５ｂ、切換リング１４５ｃおよび切換リング支持部材１４５ｄの４つの部品からなる弁体位置切換機構１４５を介装する。そして弁体１４３には軸方向の先端部にＯリング１４６を嵌着し、軸方向の基部にはＹリング（あるいはＵリング）１４７を嵌着して、軸方向に移動する弁体１４３における弁座１４２と弁体１４３との間の漏止め対策を講じる。
【００１７】
頭部１２０は、図７〜１２に示すように、把持部側に筒部１１１を一体的に突出し、その筒部１１１の先端部には筒部１１２との嵌合用の円筒部外面１１３ａと雄ねじ１１３ｂとを外面側に形成し、さらに円筒部外面１１３ａの軸方向の基部には螺合時の漏れ止めに必要なＯリング（図３参照）を嵌め込むＯリング溝１１３ｆを刻設して、中継部１１３の雄側として筒部１１２とのねじ結合ができるようにする。
そして、中継部形成箇所の内面側には、水質浄化用カートリッジ１３０の下流側の端部用キャップ１３０ａを内嵌できる円筒形状のカートリッジ受け１１６を、筒部１１１の上流側と下流側とを仕切る隔壁１１１ｃにより、隔壁１１１ｃの上流側の面で筒部１１１に対して同軸的に支持して配置する。
さらに、この隔壁１１１ｃの下流側には流路切換弁１４０を組み込む流路切換弁組込部１１１ａと弁体嵌合用に形成された筒状の弁座１４２を形成し、カートリッジ受け外周側の流路１１６ａの下部と弁座１４２との間を連通する流路１１７を、カートリッジ受け１１６と弁座１４２との各下端部を結合する角筒状の流路形成部材１１８を立設することにより形成する。
【００１８】
弁座１４２は、円筒状に形成し、上端から弁体１４３を内嵌できるように弁体の外径よりも大きく内径を形成するとともに下端部には弁体が通り抜けないように縮径した縮径部を形成した内面を有し、上端の外周縁には周上等間隔２か所に切換リング支持部材１４５ｄの係止部と逆向きの形状を有して切換リング支持部材１４５ｄを係止する係止部１４２ｂ，１４２ｂを形成し、周面の下端部には流路形成部材１１８の流路１１７に連通する開口１４２ａを穿設する。
流路形成部材１１８には、上端部に弁座１４２の側面を貫通する開口１４２ａが穿設され、下端部に隔壁１１１ｃを貫通してカートリッジ受け１１６の外周側の流路１１６ａに通じる開口１１１ｄが穿設されて、カートリッジ受け１１６の外周側の流路１１６ａから弁座１４２の内部に至る流路を形成する。
【００１９】
隔壁１１１ｃには、流路形成部材１１８の両側面の外方に、カートリッジ受け１１６の内側の流路１１６ｂに通じる開口１１１ｅ，１１１ｅを穿設して、弁座１４２に内嵌された弁体１４３が弁内流路を閉じて流路切換弁１４０を閉状態にした場合に、流路１１７が閉鎖され、開口１１１ｅ，１１１ｅを通過して浄水が頭部１２０の空間１２０ａに流出できるようにする。これに対して、弁体１４３が弁内流路を開放して流路切換弁１４０を開状態にした場合には、水質浄化用カートリッジ１３０の外周側流路から開口１１１ｄ、流路１１７および開口１４２ａが開放され、原水がこれらを経て弁座１４２の内部を通り、頭部１２０の空間１２０ａに流出できるようになる。
流路切換弁１４０が組み込まれる流路切換弁組込部１１１ａと弁座１４２は、中心軸を同一中心軸とし、この同一の中心軸を把持部１１０の中心軸に対して交差方向に向け、弁座内で移動する弁体１４３の移動方向を把持部１１０の中心軸に対して交差方向に移動できるようにする。
【００２０】
流路切換弁組込部１１１ａは筒部１１１の上部外面側に開口し、コイルスプリング１４４を付勢部材として下端に取り付けるとともにＯリング１４６およびＹリング１４７を嵌着した弁体１４３を弁座１４２に内嵌し、その弁体１４３の上端に弁体位置切換機構１４５を取り付け、その弁体位置切換機構１４５の上部に押しボタン１４１を押圧面側を上方に向けて取り付けることにより、流路切換弁１４０の押しボタン１４１を把持部１１０の外方より押圧操作可能にする。
【００２１】
押しボタン１４１は、図１３〜１５に示すように、角部を丸め、上部に截頭角錐を形成した浅い角柱となる外形を有する薄い肉厚の部材を形成し、その内面側には、頂部の中央部に第２切換こま１４５ｂの円筒部の端面が当接する座となる凹部１４１ｃを刻設し、そして、周辺部内面の相対する辺の各中央部に切換リング支持部材１４５ｄを案内する案内溝１４１ａ，１４１ａを刻設し、他の相対する辺の内面には弁体１４３の上部に形成された係止部１４３ｉ（図１６〜２０参照）と逆向きに形成して弁体１４３の係止部１４３ｉが係合する係合部１４１ｂ，１４１ｂを形成する。
案内溝１４１ａ，１４１ａおよび係合部１４１ｂ，１４１ｂは、それぞれ相手部品の係合端が側方にずれないように必要最小限の幅で形成するとともに係合位置を凹部に形成する。
【００２２】
弁体１４３は、図１６〜２０に示すように、略円柱形状に形成された本体１４３ａの外周部には先端側にＯリング溝１４３ｂを基部（上端）側にＹリング溝１４３ｃを刻設し、本体１４３ａの下端側の端面にコイルスプリング１４４の一端側を挿入する凹部１４３ｄを中心部に細い円柱状突出部１４３ｅを設けて深く形成し、本体１４３ａの上端側の端面に中心部に細い円柱状突出部１４３ｆを設けて浅い凹部１４３ｇを形成する。
本体１４３ａの上端面から軸方向に突出して直角に折れ曲がった係止アーム１４３ｈを周上等間隔４ケ所に突設し、係止アーム１４３ｈの２つずつをペアにして先端に同一の向きに向け、互いに反対向きに向いた他のペアのフックが近接離間自在に弾力性を持つように長めに形成した係止アーム１４３ｈの先端部に係止部１４３ｉ，…，１４３ｉを形成する。
【００２３】
本体１４３ａの下端側の端面に設けた深い凹部１４３ｄには、最奥部にコイルスプリング１４４の端部を当接する座１４３ｊ，…，１４３ｊを内周面から周上等間隔に４つ突設し、各座１４３ｊ，…，１４３ｊの端面が同一面になるように形成する。また、本体１４３ａの上端側の端面に設けた浅い凹部１４３ｇには、底面から円板形に突出して第１切換こま１４５ａの端面を当接する座１４３ｋを設け、その座１４３ｋの中心部から細い円柱状突出部１４３ｆを突出する。
各係止アーム１４３ｈには、本体１４３ａの上端側の端面から軸方向に突出して直角に折れ曲がった形状に形成され、端面から軸方向に突出した支柱部分から直角に折れ曲がって側方に突出したブラケット部分に、補強用のリブ１４３ｍ，１４３ｎを設けて曲げ強度を強化する。
【００２４】
押しボタン１４１と弁体１４３との間に設けられる弁体位置切換機構１４５は、図６に示すように、第１切換こま１４５ａ、第２切換こま１４５ｂ、切換リング１４５ｃおよび切換リング支持部材１４５ｄの４つの部品からなり、このうち、第１切換こま１４５ａ、第２切換こま１４５ｂ、切換リング１４５ｃは弁体１４３の移動距離を変えるためのカム機構を構成し、これらの３つの部品を所定位置に嵌め合わせて組み合わせることにより所定の機能を発揮することができるようになり、また、切換リング支持部材１４５ｄは弁座１４２の上端部に係合して位置固定し、カム機構を構成する第１切換こま１４５ａ、第２切換こま１４５ｂ、切換リング１４５ｃの各部品を位置規定し、所定の動きができるようにして、目的とする機能を発揮できるようにする。
【００２５】
第１切換こま１４５ａは、図２１（Ａ），…，（Ｅ）に示すように、こま本体１６１の一端側の端面から第２切換こま１４５ｂの嵌合孔に挿入する細い棒状の嵌合軸１６２を同軸的に突出し、嵌合軸１６２が突出する基部にはこま本体１６１の端部外周側にまで突出する平板状のリブ１６３，１６３，１６３を周上等間隔に３つ立設する。各リブ１６３の切換リング１４５ｃ側に位置する端部には、切換リング１４５ｃの切換軸側の端面に設けられた傾斜面と同じ方向に向いて傾斜する傾斜面を形成する。また、こま本体１６１の嵌合軸突出側と反対側の端部には、弁体１４３に設けられた円柱状突出部１４３ｆを嵌合する嵌合孔１６４を穿設する。
【００２６】
第２切換こま１４５ｂは、図２２（Ａ），…，（Ｄ）に示すように、本体１６６を筒状の部材に形成して中心部に第１切換こま１４５ａの嵌合軸１６２が挿入できるようにし、一端には押しボタン１４１の凹部１４１ｃ（図１３参照）に当接する端面が形成され、他端（第１切換こま側に位置する端部）には周上等間隔に６個のリブ１６７を立設し、リブ立設側の端部には第１切換こま１４５ａに設けたリブ１６３の傾斜面に当接する各リブ１６７の先端が山形に成形されるとともに各リブ１６７の中間が谷形に成形された端面を形成し、この凹凸が形成された端面に当接した第１切換こま１４５ａのリブ１６３，１６３，１６３がその傾斜面に沿って谷側に移動することにより第１切換こま１４５ａが一定方向へ回転する。
【００２７】
切換リング１４５ｃは、図２３（Ａ），…，（Ｅ）に示すように、円筒部１７１の内径側にスプライン溝のような断面形状の溝１７２を刻設し、円筒部１７１の外周側に鍔部１７３を設け、弁体１４３に設けられて相反する向きの係止端１４３ｉ，１４３ｉを突設した２つの係止アーム１４３ｈの間に入るガイドプレート１７４，１７４を鍔部１７３の周上等間隔２ケ所に突設し、このガイドプレート１７４，１７４に対して９０度変位した位置に切換リング支持部材１４５ｄの開口１７９ａ（図２７参照）に係合する爪部１７５，１７５を突設する。
内径側に溝１７２を刻設した円筒部１７１は、鍔部１７３に対して一方の側には円筒状に突出し、他方の側には端面に同一方向へ傾いた傾斜面を形成した軸方向に浅い溝１７２ａと、鍔部１７３に達する軸方向に深い溝１７２ｂとを交互に設けた３分割された切欠円筒形状にして突出し、その軸方向に浅い溝１７２ａの傾斜面に当接する第１切換こま１４５ａのリブ１６３，１６３，１６３に形成された傾斜面に従って軸方向へ移動し、当接位置の傾斜面により軸方向に浅い溝１７２ａと軸方向に深い溝１７２ｂとのいずれかに入るようになる。
軸方向に深い溝１７２ｂの形成側では、円筒部１７１の内側に、係合される第１切換こま１４５ａの先端部に設けられたリブ１６３が当接する位置規制用の段差部１７２ｃを設け、第１切換こま１４５ａのストロークを規定するとともに第１切換こま１４５ａの通り抜けを防止する。
【００２８】
切換リング支持部材１４５ｄは、図２４〜２７に示すように、本体１７６に切換リング１４５ｃの３分割されて切欠円筒形状に形成された部分を挿入できる大きさの孔を設けたリング状に形成し、このリング状の本体１７６から互いに対向する位置の外方に、弁座１４２の上端部外周に形成された係止部１４２ｂ，１４２ｂに係止するフック状に形成した係止部１７７，１７７を先端に設けた係止アーム１７８，１７８を延設し、係止アーム１７８，１７８の延設位置から９０度変位した位置には、係止部１７７，１７７の形成側と反対側に切換リング１４５ｃの支持部材１７９，１７９を突出する。
各支持部材１７９は本体１７６の外周に沿って湾曲した面を形成し、支持部材１７９の本体１７６との結合位置の中央部に切換リング１４５ｃの爪部１７５が係止する開口１７９ａを設け、開口１７９ａから先端側には尖端側に向けて肉厚が薄くなる傾斜面１７９ｂを形成する。
また、各係止アーム１７８の係止部形成側への曲がり部には補強用のリブ１７８ａを設けて撓みを規制し、係合時の角部内面側に対する応力集中による亀裂発生を防止する。
【００２９】
中継部１１３を介して頭部１２０に一体化された筒部１１１と分離結合可能に形成されるホース接続側の筒部１１２は、図２８〜３１に示すように、略円筒形状で、ホース接続側の端部に円形の孔を設けた端面１１２ｂを有し、その端面から外側に厚肉円筒状のホース接続部１１４を突出し、その先端部にホース取付ねじ１１５を形成し、ホース接続部１１４を設けた端部の反対側に位置する端部には、内面側に雌ねじ１１３ｃと筒部１１１の円筒部外面１１３ａに嵌合するための円筒部内面１１３ｄとを形成して中継部１１３の雌側を形成する。
【００３０】
筒部１１２の内面側には、上流側の端部および端面１１２ｂに水質浄化用カートリッジ１３０のホース接続側の端部用キャップ１３０ｂの端縁部の寸法に合わせて内側の寸法を形成した複数のリブ１１２ａ，…，１１２ａを突出し、水質浄化用カートリッジ１３０の収容時に端部用キャップ１３０ｂの端縁部を挟持して、水質浄化用カートリッジ１３０を同心的に位置固定することができるようにするとともに、混合水がホース接続側より流入する場合のガイドおよび渦消し部材とする。
また、ホース接続部１１４の外周側には、水栓本体のホルダ部に嵌め込み支持する際の位置決めリブとなる突起部１１４ａを突出する。
【００３１】
頭部１２０の内部に組み込まれる仕切部材１２５は、図３２〜３４に示すように、円盤状仕切板１２５ａの各面側の外周縁に短い円筒状の環状部材１２５ｂ，１２５ｃを突設し、円盤状仕切板１２５ａの中央部にシャワー吐出側またはストレート吐出側への入口部へ移行するための集合通過部材１２６（図３６参照）を嵌合する嵌合孔１２５ｄを穿設する。そして、外周縁の下側の環状部材１２５ｃには外周面に条数２の多条雄ねじ１２５ｅを形成してシャワープレート１２１を螺合できるようにし、ねじ形成箇所の上側にはＯリング溝１２５ｆを形成して漏れ止めできるようにする。
嵌合孔１２５ｄは、径が２段に分けられて、上部には円形の軸方向に対して同一径の孔が形成され、下部には軸方向下方に向けて縮径される孔に形成され、それらの中間には段差を設けて上方から集合通過部材１２６を嵌め込めるように形成する。
【００３２】
集合通過部材１２６は、図３５〜３７に示すように、鍔側の端面を浅く削り込んで外縁付き平面形にした有鍔円柱の円柱部１２６ａに、環状の溝１２６ｂを鍔側の浅く削り込んだ端面から軸方向に深くかつ貫通しない程度に刻設し、環状の溝１２６ｂの外周に外側の先端部が鍔部１２６ｄにまで達する多数の光芒１２６ｃを刻設し、この光芒１２６ｃを有する環状の溝１２６ｂを設けた円柱部１２６ａの外径を鍔部１２６ｄの外径よりも小さくして、光芒１２６ｃの外側の下端部が側方に開口した形状に形成する。
この集合通過部材１２６は円柱部１２６ａと鍔部１２６ｄの外形寸法を仕切部材１２５（図３３参照）の嵌合孔１２５ｄに嵌め込むことができる外径にし、円柱部１２６ａの側面に形成された開口が仕切部材１２５の嵌合孔１２５ｄに形成された下方に縮径される孔の位置に達するように軸方向の寸法を調節して、開口から径方向外下方へ流出する原水または浄水を縮径される孔により中心部下方に集中するように流出させる。
【００３３】
仕切部材１２５の下流側に位置する吐出面形成部材としてのシャワープレート１２１は、図３８〜４１に示すように、平板状の円板部１２１ａとその外周縁を立ち上げて形成した張出部１２１ｂとを形成し、円板部１２１ａの中央部にストレート吐出口１２２を穿設し、このストレート吐出口１２２に隣接して吐出切換弁１５０の弁軸１５１ａ（図４５参照）を貫通させて軸支する軸孔１２４を穿設し、ストレート吐出口１２２と軸孔１２４とを除いた面のストレート吐出口１２２の周囲にシャワー吐出口１２３となる小孔を多数個略均等な間隔で穿設する。
このシャワープレート１２１は、各孔を穿設した円板部１２１ａの張出部形成側を混合水の流入側（上流側）とし、張出部１２１ｂの内周面側には条数が２の多条雌ねじ１２１ｃを形成して、仕切部材１２５に設けた多条雄ねじ１２５ｅに螺合できるようにする。
また、張出部１２１ｂの上端部の内側には拡径した段差部１２１ｄを設けてＯリング溝を被う押圧面を形成し、仕切部材１２５のＯリング溝１２５ｆに取り付けたＯリング（図３参照）を外側から押圧して仕切部材１２５との螺合時に漏止めができるようにする。
【００３４】
さらに、ストレート吐出口１２２の上部には、ストレート吐出用流路形成部材１２７（図４４参照）を嵌合させる凹部１２１ｅを設け、シャワープレート中央部にストレート吐出用流路形成部材１２７を立設して、ストレート吐出側の流路（ストレート吐出流路１２７ｂ）とシャワー吐出側の流路（シャワー吐出面上流側空間１２０ｃ）とを仕切ることができるようにする。
さらにまた、張出部１２１ｂの外周面には、軸孔１２４を設けた位置の外周側に、軸孔穿設位置の外周面を挟むように２つの突出部１２１ｆ，１２１ｆを突設し、吐出切換弁１５０の弁軸１５１ａが軸孔１２４を貫通して軸支されて切換レバー１５１が２つの突出部１２１ｆ，１２１ｆの間に設けられたとき、切換レバー１５１の操作範囲を２つの突出部１２１ｆ，１２１ｆの間隔によって与えられた回動角に規制できるようにする。
【００３５】
シャワープレート中央部に立設するストレート吐出用流路形成部材１２７は、図４２〜４４に示すように、上端縁が内面側に縮径された端部を有する円筒形状に形成され、円筒部の内部がストレート吐出流路１２７ｂとして利用される。
上端に形成された開口１２７ａの開口径が円筒部分の内径よりも小さくなるように形成して、吐出切換弁１５０の弁体１５０ａに形成された皿部１５０ｂ（図４６参照）を載置し易くする。また、下端部の外径はシャワープレート１２１の中央部に形成された凹部１２１ｅの内径側に嵌合できる大きさを有し、嵌合後にシャワープレート１２１の中央部に立設できるように嵌合状態が緊密になるように形成する。
【００３６】
吐出切換弁１５０は、図３に示すように、シャワープレート１２１の円板部１２１ａを貫通した軸回りに回動自在に支持される弁軸１５１ａを一体に設けた切換レバー１５１と、集合通過部材１２６とストレート吐出用流路形成部材１２７との間に設けられた隙間に配置できるように上面を浅い凹面に形成した薄い皿状に形成した弁体１５０ａとに分割される。
【００３７】
切換レバー１５１は、図４５に示すように、弁軸１５１ａに対して垂直な方向にレバー部１５１ｂを延設し、その操作片であるレバー部１５１ｂの先端にレバー回動方向に対して略垂直な面を形成する指掛け部１５１ｃには両面側にそれぞれ凹部１５１ｄを形成して指の係止を容易にする。弁軸１５１ａの先端には、弁体側に形成された嵌合孔１５０ｄ（図４６参照）に挿入して弁体１５０ａと結合し、結合後の抜けを防止するための拡張側に付勢されている断面が矩形に形成された弾性係止部１５１ｅ，１５１ｅを突出させる。
【００３８】
弁体１５０ａは、図４６，４７に示すように、上面を浅い凹面に形成した薄い皿状に形成し、下面を板厚分長くした曲率半径で湾曲した凸面に形成した皿部１５０ｂと、この皿部１５０ｂから一方向へ延設したアーム部１５０ｃと、このアーム部１５０ｃの先端部に弁軸側の弾性係止部１５１ｅ，１５１ｅを挿入して内嵌する矩形断面の嵌合孔１５０ｄを穿設した軸結合部１５０ｅとからなる。
弁軸１５１ａ側の弾性係止部１５１ｅ，１５１ｅを軸結合部１５０ｅの嵌合孔１５０ｄに挿入する際、シャワープレート１２１に形成された軸孔１２４に外方（下流側）から弾性係止部１５１ｅ，１５１ｅを挿入して、軸孔１２４に弁軸１５１ａを嵌合し、その後、弁体１５０ａ側の嵌合孔１５０ｄに弾性係止部１５１ｅ，１５１ｅを抜け防止可能になるまで挿入して、弁体１５０ａと切換レバー１５１とをシャワープレート１２１に組み付けるとともに吐出切換弁１５０を一体に結合する。
【００３９】
〔作用効果〕
このように構成した第１実施形態では、流路切換弁１４０の押しボタン１４１を指で押圧することによって浄水と原水とを容易に切り換えることができ、また、浄水と原水との切換えとは独立に、吐出切換弁１５０の切換レバー１５１を回動操作することによってストレート吐出とシャワー吐出とを切り換えることができるようになる。
【００４０】
流路切換弁１４０の押しボタン１４１を押圧して浄水吐出位置に押し下げた場合（図３〜５）には、流路切換弁１４０が弁閉状態となり、流路切換弁１４０のカートリッジ受け外面側に形成された流路１１６ａに連通する流路が閉鎖状態となって、把持部１１０内に流入した混合水が、水質浄化用カートリッジ１３０の外周側流路１３１からフィルタ１３４および水質浄化材１３３を通過して水質を浄化しつつ水質浄化材１３３の中央空間部１３２に流出して、カートリッジ受け１１６の内面側の流路１１６ｂを介して頭部１２０に形成された空間１２０ａに流出し、吐出切換弁１５０の選択に従って、空間１２０ａから集合通過部材１２６を通過してストレート吐出口１２２またはシャワー吐出口１２３よりシャワープレート１２１の外部に吐出する。
【００４１】
また、流路切換弁１４０の押しボタン１４１を押圧解除して原水吐出位置に押し戻した場合（図４８〜５１）には、流路切換弁１４０が弁開状態となり、流路切換弁１４０のカートリッジ受け外面側に形成された流路１１６ａに連通する流路が開放状態となって、把持部１１０内に流入した混合水が、水質浄化用カートリッジ１３０の外周側流路１３１を通過し、カートリッジ受け１１６の外面側の流路１１６ａから開口１１１ｄ、流路形成部材１１８内の流路１１７、開口１４２ａを経由して弁座１４２の内部に至る流路を通過することにより、頭部１２０に形成された空間１２０ａに流出し、吐出切換弁１５０の選択に従って、ストレート吐出口１２２またはシャワー吐出口１２３を介してシャワープレート１２１の外部に吐出する。
その後、流路切換弁１４０の押しボタン１４１を把持部１１０の外方から押圧して、再度、浄水吐出位置に押し下げると、前述のような浄水吐出の場合に戻り、浄水を吐出するようになる。
【００４２】
また、吐出切換弁１５０の操作は、流路切換弁１４０の操作とは独立に操作でき、ストレート吐出とシャワー吐出とを任意に設定することができる。
まず、切換レバー１５１を操作して弁軸１５１ａの軸心を中心にしてストレート吐出側に回動すると、弁体１５０ａがストレート吐出用流路形成部材１２７の開口１２７ａの位置から外れ、集合通過部材１２６から流出する混合水がストレート吐出用流路形成部材１２７の開口１２７ａへ流入し、ストレート吐出流路１２７ｂの内部を通過してストレート吐出口１２２から吐出する。
【００４３】
そして、切換レバー１５１がストレート吐出側に設定されている場合に、切換レバー１５１を反対方向へ操作して、弁軸１５１ａの軸心を中心にしてシャワー吐出側に回動すると、図３または４９に示すように、弁体１５０ａがストレート吐出用流路形成部材１２７の開口１２７ａの上部に位置して開口１２７ａを塞ぎ、集合通過部材１２６から流出する混合水が弁体１５０ａの皿部１５０ｂに阻まれてストレート吐出用流路形成部材１２７の周囲に流出し、仕切部材１２５とシャワープレート１２１によって形成されたシャワー吐出面上流側空間１２０ｃを介してシャワー吐出口１２３から吐出するようになる。
その後、切換レバー１５１を操作して弁軸１５１ａの軸心を中心にしてストレート吐出側に回動すると、前述のように、ストレート吐出口１２２から吐出するようになる。
【００４４】
これにより、流路切換弁１４０の押しボタン１４１を把持部１１０の外方より押圧することにより、浄水吐出と原水吐出とを容易に切り換えることができ、浄水吐出時には、混合水が水質浄化用カートリッジ１３０の外周側流路１３１から中央空間部１３２へ水質浄化材１３３を通過する際に浄化されるようになり、また、原水吐出時には、フィルタ１３４の表面側を通過する混合水によって、浄水吐出時に溜まったフィルタ表面の蓄積物が洗い流され、目詰りを起こりにくくするとともに水質浄化材１３３の劣化を防止するようになり、長期間、水質浄化性能を高レベルに維持できるようになる。
これに加えて、吐出切換弁１５０が流路切換弁１４０と完全に独立しているため、原水と浄水のどちらが吐出される場合であっても、ストレート吐出またはシャワー吐出のいずれかを選択して吐出させることができ、４種類の利用可能な形態が選択できるようになる。
【００４５】
〔第２実施形態〕
前記第１実施形態では水質浄化用カートリッジの外周側を原水流路（浄化直前流路）として形成されているが、この第２実施形態では、水質浄化用カートリッジの中央空間部を原水流路（浄化直前流路）として形成した場合について具体的に説明する。
以下の説明では、各部材の符号は２００番台の番号にして第１実施形態と識別することにし、また、流路切換弁の構成に係る部材以外の部材については、第１実施形態と同じ構成にするとともに２００番台の番号のうち２桁以下の番号を同じにして説明を省略する。
【００４６】
〔構成〕
浄水機能付きシャワーヘッド２００は、図５２〜５４の矢視断面図に示すように、図示しない混合水栓または混合水栓に設けられたホースに取付けできる端部を有する把持部２１０と、この把持部２１０の混合水栓接続側とは反対側の端部でシャワー吐出できる頭部２２０とを備える。
【００４７】
把持部２１０は、頭部２２０に直結された筒部２１１と混合水栓接続側の筒部２１２とに分け、これらを着脱自在かつ一体的に組み合わせることができるようにするねじ結合部を形成した中継部２１３により分離結合自在に形成する。
この中継部２１３の螺合を解除して筒部２１１と筒部２１２とを分離することにより、把持部２１０の内部に水質浄化用カートリッジ２３０を交換可能に収容できるようにする。
さらに、筒部２１１の頭部直近の端部には、流路切換弁２４０を内蔵し、筒部外面から外方に流路切換弁２４０の操作端である押しボタンを突設させて、把持部２１０の外部から流路切換弁２４０を操作できるように形成する。
また、筒部２１２の混合水栓接続側の端部には厚肉円筒状のホース接続部２１４を設け、その先端部にホース取付ねじ２１５を形成して、ホースとの着脱を容易にする。
【００４８】
頭部２２０は、把持部２１０から流入した混合水が滞留する空間（空洞）２２０ａを頭部外皮２２０ｂにより形成するとともに、混合水が一様に吐出する吐出面を有するシャワープレート２２１を着脱自在に取り付け、そのシャワープレート２２１の中央部にストレート吐出口２２２を設け、その周囲を囲むようにシャワー吐出口２２３を設け、ストレート吐出とシャワー吐出とを切り換える吐出切換弁２５０を内設し、その吐出切換弁２５０の操作端となる切換レバー２５１をシャワープレート２２１の外部に突設する。
【００４９】
水質浄化用カートリッジ２３０は、活性炭を主成分とする水質浄化材２３３を中心軸と同心的に軸方向に長い貫通孔（中央空間部２３２）を設けた筒状に成形し、その内周面に不織布、スポンジまたは網等からなるフィルタ２３５を周設し、水質浄化材２３３の混合水の流れから見て下流側に位置する端部に中央空間部内嵌用の筒部と外周面外嵌用の筒部とを有する端部用キャップ２３０ａを嵌合し、また、上流側に位置する端部に中央空間部内嵌用の筒部と外周面外嵌用の筒部とを有する端部用キャップ２３０ｂを嵌合する。
【００５０】
把持部２１０の頭部側に位置する筒部２１１には、内部に水質浄化用カートリッジ２３０の下流側（頭部側）の端部を差し込み固定する円筒状のカートリッジ受け２１６を突設し、また、ホース接続側に位置する筒部２１２には、内面の上流側に位置する端部に円筒状のカートリッジ受け２１７を突設する。
筒部２１１のカートリッジ受け２１６に水質浄化用カートリッジ２３０の下流側に設けられた端部用キャップ２３０ａの挿入端を差し込み、そして、水質浄化用カートリッジ２３０の上流側に位置する端部に設けられた端部用キャップ２３０ｂが筒部２１２に設けられたカートリッジ受け２１７に嵌合するように、中継部２１３を螺合して筒部２１１に筒部２１２を組み付けることにより、水質浄化用カートリッジ２３０の両端部を芯出しおよび位置固定して、把持部２１０の中に水質浄化用カートリッジ２３０を略同軸的に収容する。
【００５１】
水質浄化用カートリッジ２３０を把持部２１０に収容して形成される流路のうち、水質浄化用カートリッジ２３０の外周側流路２３１は浄水流路の一部となり、また、水質浄化用カートリッジ２３０の中央空間部２３２を原水流路の一部となる。そして、カートリッジ受け２１６の外周側の流路２１６ａは水質浄化用カートリッジ２３０の外周側流路２３１と連通して浄水流路の一部となり、また、カートリッジ受け２１６の内面側の流路（空間）２１６ｂは水質浄化用カートリッジ２３０の中央空間部２３２と連通して原水流路の一部となる。
【００５２】
カートリッジ受け２１６の下流側に流路切換弁２４０を内蔵し、流路切換弁２４０の弁座２４２の側面にはカートリッジ受け２１６の内面側の流路２１６ｂに連通する開口（流路）を穿設する。
そして、流路切換弁２４０の操作部材である押しボタン２４１を、流路切換弁２４０の内蔵位置における切換弁中心軸の軸心線上に押しボタン２４１の中心位置を合わせるとともに、筒部２１１の外周面から外方に突設する。
【００５３】
これにより、流路切換弁２４０の押しボタン２４１を押圧して浄水吐出にした場合には、流路切換弁２４０が弁閉状態となり、カートリッジ受け２１６の内面側に形成された流路２１６ｂに連通する流路が閉鎖状態となり、把持部２１０内に流入した混合水が、水質浄化用カートリッジ２３０の中央空間部２３２から水質浄化用カートリッジ２３０のフィルタ２３５および水質浄化材２３３を通過して水質を浄化しつつ外周側流路２３１に流出して、カートリッジ受け２１６の外周側の流路２１６ａを介して頭部２２０に形成された空間２２０ａに流出し、その後は、吐出切換弁２５０の選択に従って、空間２２０ａからストレート吐出口２２２またはシャワー吐出口２２３を介してシャワープレート２２１の外部に吐出する。
【００５４】
また、流路切換弁２４０の押しボタン２４１を押し戻して原水吐出にした場合には、流路切換弁２４０が弁開状態となり、カートリッジ受け２１６の内面側に形成された流路２１６ｂに連通する流路が開放状態となり、把持部２１０内に流入した混合水が、水質浄化用カートリッジ２３０の中央空間部２３２を通過し、カートリッジ受け２１６の内面側の流路２１６ｂを介して流路切換弁２４０の弁座内に流入し、弁座内を通過して空間２２０ａに流出し、その後は、吐出切換弁２５０の選択に従って、ストレート吐出口２２２またはシャワー吐出口２２３を介してシャワープレート２２１の外部に吐出する。
【００５５】
頭部２２０の内部に形成された空間２２０ａの下流側であって吐出切換弁２５０を収容する部分の上流側には、空間２２０ａとシャワー吐出面上流側空間２２０ｃとの間を仕切る仕切部材２２５を設け、その仕切部材２２５の円盤状仕切板２２５ａの中央部に集合通過部材２２６を設ける。
仕切部材２２５の下流側に設けられる吐出切換弁２５０の弁体２５０ａは、その弁体２５０ａが集合通過部材２２６の直下に位置できるように配置する。
集合通過部材２２６および吐出切換弁２５０の弁体２５０ａが上下に配置された位置の、さらに下流側には、シャワープレート２２１に形成されたストレート吐出口２２２に連通するストレート吐出用流路形成部材２２７を立設してストレート吐出流路２２７ｂを形成する。
【００５６】
吐出切換弁２５０は、弁体２５０ａが仕切部材２２５の下流側で集合通過部材２２６から僅かに隙間をあけた直近の下流に配置され、弁体２５０ａの下面をストレート吐出用流路形成部材２２７の上端に形成された開口２２７ａに接触できる直近の位置に配置して、ストレート吐出用流路形成部材２２７の蓋として上部から覆いかぶさることができるようにし、また、切換レバー２５１の操作によって、弁体２５０ａが開口２２７ａの真上の位置から弁体２５０ａの全体が開口２２７ａの位置から外れるまでの範囲で、弁体２５０ａがストレート吐出用流路形成部材２２７の上端に出入り自在に回動できるように、切換レバー２５１の回動角度を設定する。
【００５７】
頭部２２０は、図５５〜５８に示すように、把持部側に筒部２１１を一体的に突出し、その筒部２１１の先端部には筒部２１２との嵌合用の円筒部外面２１３ａと雄ねじ２１３ｂとを外面側に形成して中継部２１３の雄側を形成し、筒部２１１の中継部２１３と空間２２０ａとの中間位置に流路切換弁組込部２１１ａと弁座２４２とを形成し、頭部２２０の吐出側には頂部が曲面に形成され主要部が略円筒状に形成されて内部に特別な突出部が設けられていない空洞となっている頭部外皮２２０ｂにより略円筒状に形成し、仕切板や吐出切換弁等を収容することができるようにする。
【００５８】
そして、中継部形成箇所の内面側には、水質浄化用カートリッジ２３０の下流側の端部用キャップ２３０ａを内嵌できる円筒形状のカートリッジ受け２１６を、筒部２１１の上流側と下流側とを仕切る隔壁２１１ｃにより、隔壁２１１ｃの上流側の面で筒部２１１に対して同軸的に支持して配置する。
さらに、隔壁２１１ｃの下流側には流路切換弁２４０を組み込む流路切換弁組込部２１１ａと弁体嵌合用に形成された筒状の弁座２４２とを同軸的に形成し、流路切換弁組込部２１１ａの側面の一部を隔壁２１１ｃと一体に形成し、さらに、隔壁２１１ｃの側部および下部であって弁座２４２の側面外方および下側になる位置を開口して、カートリッジ受け外周側の流路２１６ａの側部および下部と弁座２４２の側面外方および下側との間を連通する流路２１８を形成する。
【００５９】
原水と浄水とを切り換える流路切換弁２４０は、弁座２４２の内外に取り付ける各部材が第１，２実施形態で使用されたものと同一の部材を利用する。
すなわち、流路切換弁組込部２１２ａに固定される弁座２４２と、弁座２４２に組み込まれて押しボタン２４１により動かされる弁体２４３と、弁座２４２の底面と弁体２４３の下端との間に介装されて押しボタン２４１の押圧力が解除されたときに弁体２４３を押し戻すコイルスプリング２４４と、押しボタン２４１と弁体２４３との間に介装されて弁体２４３の軸方向の位置を変更する弁体位置切換機構２４５とからなる。
【００６０】
弁座２４２は、円筒状に形成し、上端から弁体２４３を内嵌できるように弁体の外径よりも大きく内径を形成するとともに下端部には弁体が通り抜けないように縮径した縮径部を形成した内面を有し、上端の外周縁には周上等間隔２か所に切換リング支持部材２４５ｄの係止部と逆向きの形状を有して切換リング支持部材２４５ｄを係止する係止部２４２ｂ，２４２ｂ（図５４参照）を形成する。
弁座２４２を形成する円筒の側面とカートリッジ受け２１６の内面側の流路２１６ｂとの間を連通する流路２１９を形成し、弁開時に水質浄化用カートリッジ２３０の中央空間部２３２を通過した原水を弁座内に導入できるようにする。
流路切換弁２４０が組み込まれる流路切換弁組込部２１１ａと弁座２４２を形成する円筒とは、どちらも中心軸を同一中心軸とし、この同一の中心軸を把持部２１０の中心軸に対して交差方向に向け、弁座２４２内で移動する弁体２４３の移動方向が把持部２１０の中心軸に対して交差方向になるようにする。
【００６１】
これにより、弁閉時に、弁座２４２に内嵌された弁体２４３が弁内流路を閉じて流路切換弁２４０が閉状態になると、水質浄化用カートリッジ２３０の中央空間部２３２から外周側流路２３１に流出し、外周側流路２３１からカートリッジ受け外面側の流路２１６ａおよび浄水が流路２１８を通過して頭部２２０の空間２２０ａに流出できるようになる。また、これに対して、弁開時に、弁体２４３が弁内流路を開放して流路切換弁２４０が開状態になると、水質浄化用カートリッジ２３０の中央空間部２３２からカートリッジ受け内面側の流路２１６ｂおよび流路２１９を経て頭部２２０の空間２２０ａに流出するようになる。
【００６２】
筒部２１１と分離結合可能に形成されるホース接続側の筒部２１２は、図５９〜６１に示すように、略円筒形状で、ホース接続側の端部の外端面から外方に向けて厚肉円筒状のホース接続部２１４を同軸的に突出し、その先端部外周側にホース取付ねじ２１５を形成し、内面側には、上流側の端面２１２ｂに水質浄化用カートリッジ２３０のホース接続側に設けられた端部用キャップ２３０ｂの小径側嵌合部の寸法に合わせて内側の寸法を形成した円筒形状のカートリッジ受け２１７を突出し、水質浄化用カートリッジ２３０の収容時に端部用キャップ２３０ｂの嵌合部に嵌合して、水質浄化用カートリッジ２３０の上流側端部を同心的に位置固定することができるようにする。
【００６３】
ホース接続部２１４を設けた端部の反対側に位置する端部には、内面側に雌ねじ２１３ｃと筒部２１１の円筒部外面２１３ａに嵌合するための円筒内面２１３ｄとを形成して中継部２１３の雌側を形成する。
また、ホース接続部２１４の外周側には水栓本体のホルダ部に嵌め込み支持する際の位置決めリブとなる突起部２１４ａを突出する。
その他、流路切換弁２４０および吐出切換弁２５０ならびにこれらに関連した他の流路や部品については、第１実施形態と同様に構成する。
【００６４】
〔作用効果〕
このように構成した第２実施形態では、流路切換弁２４０の押しボタン２４１を指で押圧することによって浄水と原水とを容易に切り換えることができ、また、浄水と原水との切換えとは独立に、吐出切換弁２５０の切換レバー２５１を回動操作することによってストレート吐出とシャワー吐出とを切り換えることができるようになる。
【００６５】
流路切換弁２４０の押しボタン２４１を押圧して浄水吐出位置に押し下げた場合（図５２〜５４）には、流路切換弁２４０が弁閉状態となり、流路切換弁２４０のカートリッジ受け２１６に形成された内面側の流路２１６ｂに連通する流路が閉鎖状態となり、把持部２１０内に流入した混合水が、水質浄化用カートリッジ２３０の中央空間部２３２からフィルタ２３５および水質浄化材２３３を通過して水質を浄化しつつ水質浄化材２３３を通り抜けて外周側流路２３１に流出し、外周側流路２３１からカートリッジ受け２１６の外周側の流路２１６ａおよび流路２１８を介して頭部２２０に形成された空間２２０ａに流出し、吐出切換弁２５０の選択に従って、空間２２０ａから集合通過部材２２６を通過してストレート吐出口２２２またはシャワー吐出口２２３よりシャワープレート２２１の外部に吐出する。
【００６６】
また、流路切換弁２４０の押しボタン２４１を押圧解除して原水吐出位置に押し戻した場合（図６２〜６４）には、流路切換弁２４０が弁開状態となり、流路切換弁２４０に連通する流路２１９が開放状態となって、把持部２１０内に流入した混合水が、水質浄化用カートリッジ２３０の中央空間部２３２を通過し、カートリッジ受け２１６の内面側の流路２１６ｂから流路２１９を経由して弁座２４２の内部に至る流路を通過することにより、頭部２２０に形成された空間２２０ａに流出し、吐出切換弁２５０の選択に従って、ストレート吐出口２２２またはシャワー吐出口２２３を介してシャワープレート２２１の外部に吐出する。
その後、流路切換弁２４０の押しボタン２４１を把持部２１０の外方から押圧して、再度、浄水吐出位置に押し下げると、前述のような浄水吐出の場合に戻り、浄水を吐出するようになる。
また、吐出切換弁２５０の操作は、第１実施形態の場合と同様に操作することによって、ストレート吐出とシャワー吐出とを任意に選択することができる。
【００６７】
このようにして、流路切換弁２４０の押しボタン２４１を把持部２１０の外方より押圧することにより、浄水吐出と原水吐出とを容易に切り換えることができ、浄水吐出時には、混合水が水質浄化用カートリッジ２３０の中央空間部２３２から外周側流路２３１へ水質浄化材２３３を通過する際に浄化され、また、原水吐出時には、フィルタ２３５の表面側を通過する混合水によって、浄水吐出時に溜まったフィルタ表面の蓄積物が洗い流され、目詰りを起こりにくくするとともに水質浄化材２３３の劣化を防止するようになり、長期間、水質浄化性能を高レベルに維持できるようになる。
これに加えて、吐出切換弁２５０が流路切換弁２４０と完全に独立しているため、原水と浄水のどちらが吐出される場合であっても、ストレート吐出またはシャワー吐出のいずれかを選択して吐出させることができ、４種類の利用可能な形態が選択できるようになる。
【００６８】
〔第３実施形態〕
前記の第１，２実施形態は水質浄化用カートリッジの下流側に原水と浄水との吐出を選択する流路切換弁を設けているが、この第３実施形態では水質浄化用カートリッジの上流側に流路切換弁を設け、原水を水質浄化用カートリッジの外周側に形成された流路まで導き入れて外周側から中心部の中央空間部まで通過する間に浄化されるようにした場合について具体的に説明する。
以下の説明では、各部材の符号は３００番台の番号にして第１，２実施形態と識別することにし、また、流路切換弁の構成に係る部材以外の部材については、第１，２実施形態と同じ構成にするとともに符号を３００番台の下２桁の番号を同じにして説明を省略する。
【００６９】
〔構成〕
浄水機能付きシャワーヘッド３００は、図６５〜６６の外観図に示すように、図示しない混合水栓または混合水栓に設けられたホースに取付けできる端部を有する把持部３１０と、この把持部３１０の混合水栓接続側とは反対側の端部に一体的に形成されてシャワー吐出できる頭部３２０とを備える。
【００７０】
把持部３１０は、頭部３２０側に直結した筒部３１１と混合水栓接続側の筒部３１２とに分け、この両筒部３１１，３１２の結合部分には着脱自在かつ一体的に組み合わせることができるようにするねじ結合部を形成した中継部３１３を形成し、この中継部３１３の螺合を解除して筒部３１１と筒部３１２を分離することにより、把持部３１０の内部に水質浄化用カートリッジ３３０（図６７，６８参照）を収容することができるようになる。また、混合水栓接続側の端部には円筒状のホース接続部３１４を設け、その先端部にホース取付ねじ３１５を形成して、ホースとの着脱を容易にする。また、把持部３１０の水質浄化用カートリッジ３３０の上流側となるホース取付側の端部には、流路切換弁３４０の操作端である押しボタン３４１を突き出して、把持部３１０の外部から流路切換弁３４０を操作できるように形成する。
【００７１】
頭部３２０は、頂部が曲面に形成され主要部が略円筒形状に形成されて、内部に特別な突出部が設けられておらず、把持部３１０から流入した混合水が滞留する空間（空洞）３２０ａ（図６７，６８参照）を頭部外皮３２０ｂにより形成し、混合水が一様に吐出する吐出面を有して着脱自在なシャワープレート３２１を形成し、そのシャワープレート３２１の中央部にストレート吐出口３２２を設け、その周囲を囲むようにシャワー吐出口３２３を設け、ストレート吐出とシャワー吐出とを切り換える吐出切換弁３５０を内設し、その吐出切換弁３５０の操作部となる切換レバー３５１をシャワープレート３２１の外部に突出配置する。
【００７２】
この浄水機能付きシャワーヘッド３００では、図６７〜６９に示すように、把持部３１０に内蔵した水質浄化用カートリッジ３３０の外周側流路３３１を原水流路の一部とし、水質浄化用カートリッジ３３０の中央空間部３３２を浄水流路または原水流路の一部として利用する。
この場合の水質浄化用カートリッジ３３０は、中心軸と同心的に軸方向に長い貫通孔（中央空間部３３２）を設けて筒状に形成した活性炭を主成分とする水質浄化材３３３と、その外周面に不織布、スポンジまたは網等からなるフィルタ３３４を周設したものに、把持部内で同心的に嵌め合い位置固定するための端部用キャップ３３０ａ，３３０ｂを各端部に取り付けたものである。
【００７３】
把持部３１０の頭部３２０側に位置する筒部３１１には、内部の頭部側端面に筒部３１１と同軸な円筒形状に形成されたカートリッジ受け３１６を突設し、このカートリッジ受け３１６に水質浄化用カートリッジ３３０に設けられた下流側の端部用キャップ３３０ａの挿入端を差し込むことによって、水質浄化用カートリッジ３３０の下流側端部を芯出しおよび位置固定できるようにする。
そして、筒部３１２の上流側に位置する端部に配設された流路切換弁３４０の下流側の壁面に筒部３１２と同軸な円筒形状に形成したカートリッジ受け３１７を突設し、筒部３１１と筒部３１２との中継部３１３を螺合して、筒部３１２を筒部３１１に組付けることにより、水質浄化用カートリッジ３３０の上流側（ホース接続側）の端部用キャップ３３０ｂの挿入端をカートリッジ受け３１７に嵌合し、芯出しおよび位置固定して、把持部３１０の中に水質浄化用カートリッジ３３０を略同軸的に収容する。
【００７４】
これにより、カートリッジ受け３１６の外周側の空間３１６ａは、水質浄化用カートリッジ３３０の外周側流路３３１と連通して原水流路の閉鎖端部となり、さらにカートリッジ受け３１６の内面側の流路３１６ｂは、水質浄化用カートリッジ３３０の中央空間部３３２と連通して浄水流路の一部を形成するとともに原水流路の一部を形成する。
また、カートリッジ受け３１７の内面側の流路３１７ｂは、水質浄化用カートリッジ３３０の中央空間部３３２と連通して浄水流路の端部を形成するとともに原水流路の入口部を形成し、カートリッジ受け３１７の外周側の流路３１７ａは、水質浄化用カートリッジ３３０の外周側流路３３１と連通して原水流路の入口部を形成する。
【００７５】
頭部３２０の内部に形成された空間３２０ａの下流側であって吐出切換弁３５０を収容する部分の上流側には、空間３２０ａとシャワー吐出面上流側空間３２０ｃとの間を仕切る仕切部材３２５を設け、その仕切部材３２５の円盤状仕切板３２５ａの中央部に集合通過部材３２６を設ける。
仕切部材３２５の下流側に設けられる吐出切換弁３５０は、その弁体３５０ａが集合通過部材３２６の直下に位置できるように配置する。
そして、集合通過部材３２６および吐出切換弁３５０の弁体３５０ａが上下に配置された位置の、さらに下流側には、シャワープレート３２１に形成されたストレート吐出口３２２に連通するストレート吐出用流路形成部材３２７を立設する。
【００７６】
頭部３２０は、図７０〜７３に示すように、把持部側に筒部３１１を突出し、その突出した筒部３１１の外周面には、結合時の芯出し用の円筒部３１３ａを形成し、この中継部３１３の先端側に筒部３１２とねじ結合するための雄ねじ３１３ｂを形成し、さらに、円筒部３１３ａの軸方向の基部には、中継部３１３の漏止めに必要なＯリング（図６７参照）を嵌め込むＯリング溝３１３ｆを刻設して、中継部３１３の雄側を形成する。
頭部３２０と筒部３１１との境界となる壁面には、筒部側に突出した筒部３１１と同軸な円筒形状のカートリッジ受け３１６を突設し、カートリッジ受け３１６の外側の空間３１６ａは壁面により閉鎖されたままの状態にしておき、カートリッジ受け３１６の内部を開口して、カートリッジ受け３１６の内側を頭部３２０と筒部３１１との間の流路３１６ｂとして形成する。
そして、頭部外皮３２０ｂにより、頭部３２０の頂部が曲面に形成され主要部が略円筒状に形成されて、内部に特別な突出部が設けられていない空間を形成して、頭部３２０の吐出側には仕切板や吐出切換弁等を収容することができるようにする。
【００７７】
筒部３１１と分離結合可能に形成される筒部３１２は、図７４〜７８に示すように、略円筒形状で、ホース接続側の端部に円形の孔を設けた端面３１２ｂを有し、その端面から円筒状のホース接続部３１４を突出し、その先端部にホース取付ねじ３１５を形成し、ホース接続部３１４の外周側には水栓本体のホルダ部に嵌め込み支持する際の位置決めリブとなる突起部３１４ａを突設する。
筒部３１２の下流側の端部には、中継部３１３の雌側を形成し、その内面側に雌ねじ３１３ｃと、嵌合用の円筒内面３１３ｄを雌ねじ形成箇所の先端側に形成し、筒部３１１の雄側の中継部３１３に螺着して、把持部３１０を形成することができるようにする。
筒部３１２の上流側の端部には、端面３１２ｂに一側面を接するように配置して筒部３１２の中心軸に対して略垂直な方向に中心軸を向けた平面形状が略正方形の有底角筒形状に形成された流路切換弁組込部３１２ａと、この流路切換弁組込部３１２ａと同軸的に配置して、上端部を流路切換弁組込部３１２ａの下端部に底壁を貫通して挿入した、弁体嵌合用に形成された有底円筒形状の弁座３４２とを配設する。
【００７８】
そして、水質浄化用カートリッジ３３０のホース接続側に設けられた端部用キャップ３３０ｂに形成されている端縁部（挿入端部）の外径寸法に合わせて内径寸法を形成した、有底円筒形状のカートリッジ受け３１７を筒部３１２と同軸的に配置するとともに開口側を下流側に向け、カートリッジ受け３１７の有底側を流路切換弁組込部３１２ａの最下流側の外端面に一体的に形成する。
カートリッジ受け３１７の下端部と弁座３４２の下端部とにそれぞれ開口３１７ｃと開口３４２ａを穿設し、それらの開口３１７ｃと開口３４２ａとの間を連通する角筒形状の流路３１２ｃを設けて、弁座３４２の内部から流路３１２ｃを経由してカートリッジ受け３１７の内面側に形成された流路３１７ｂに達する混合水の流路を形成する。
【００７９】
流路切換弁組込部３１２ａの底板よりも下方に位置し、かつ、筒部３１２の端面３１２ｂ側に位置する弁座３４２の側周面には、略中央部に半周にわたる比較的広幅の切込みにより形成した開口３４２ａを設け、弁開状態では、ホース接続側から筒部３１２の内部に流入した混合水が、開口３４２ａから弁座３４２の内部に流入し、開口３４２ｃから流出して、流路３１２ｃを介してカートリッジ受け３１７の内面側に形成された流路３１７ｂを通過する。また、弁閉状態では弁座３４２の内部に流入せずに、弁座３４２の外周側および下方を介してカートリッジ受け３１７の外周側に形成された流路３１７ａを通過する。
【００８０】
原水と浄水とを切り換える流路切換弁３４０は、弁座３４２の内外に取り付ける各部材が第１，２実施形態で使用されたものと同一の部材を利用する。
すなわち、流路切換弁組込部３１２ａに固定される弁座３４２と、弁座３４２に組み込まれて押しボタン３４１により動かされる弁体３４３と、弁座３４２の底面と弁体３４３の下端との間に介装されて押しボタン３４１の押圧力が解除されたときに弁体３４３を押し戻すコイルスプリング３４４と、押しボタン３４１と弁体３４３との間に介装されて弁体３４３の軸方向の位置を変更する弁体位置切換機構３４５とからなる。
【００８１】
頭部３２０の内部に組み込まれる仕切部材３２５は、円盤状仕切板３２５ａの中央部にシャワー吐出側またはストレート吐出側への入口部へ移行するための集合通過部材３２６を嵌合する。そして、外周縁の下側にシャワープレート３２１を螺合できるようにするとともに、ねじ形成箇所の上側にはＯリングにより漏止めができるようにする。
仕切部材３２５の下流側に位置する吐出面形成部材としてのシャワープレート３２１は、平板状の円板部から外周縁を立ち上げた形状に形成し、円板部の中央部にストレート吐出口３２２を穿設し、このストレート吐出口３２２に隣接して吐出切換弁３５０の軸を貫通させて軸支し、ストレート吐出口３２２と軸支箇所とを除いた面のストレート吐出口３２２の周囲にシャワー吐出口３２３となる小孔を多数個略均等な間隔で穿設する。
【００８２】
さらに、ストレート吐出口３２２の上部には、ストレート吐出用流路形成部材３２７を設け、シャワープレート中央部にストレート吐出用流路形成部材３２７を立設して、ストレート吐出側の流路（ストレート吐出流路３２７ｂ）とシャワー吐出側の流路（シャワー吐出面上流側空間３２０ｃ）とを仕切ることができるようにする。
シャワープレート中央部に立設するストレート吐出用流路形成部材３２７は、上端縁が内面側に縮径された端部を有する円筒形状に形成され、円筒部の内部がストレート吐出流路３２７ｂとして利用され、その上端に形成された開口３２７ａの開口径が円筒部分の内径よりも小さくなるように形成して、吐出切換弁３５０の弁体３５０ａを載置し易くする。
【００８３】
吐出切換弁３５０は、シャワープレート３２１を貫通して軸回りに回動自在に支持される弁軸を一体に設けた切換レバー３５１と、集合通過部材３２６とストレート吐出用流路形成部材３２７との間に設けられた隙間に配置できるように上面を浅い凹面に形成した薄い皿状に形成した弁体３５０ａとに分割される。
この吐出切換弁３５０は、弁体３５０ａを集合通過部材３２６から僅かに隙間をあけた直近の下流に配置し、弁体３５０ａの下面をストレート吐出用流路形成部材３２７の上端に形成された開口３２７ａに接触できる直近の位置に配置して、ストレート吐出用流路形成部材３２７の蓋として上部から覆い被さることができるようにし、また、切換レバー３５１の操作によって、弁体３５０ａが開口３２７ａの真上の位置から弁体３５０ａの全体が開口３２７ａの位置から外れるまでの範囲で、弁体３５０ａがストレート吐出用流路形成部材３２７の上端に出入り自在に回動できるように、切換レバー３５１の回動角度を設定する。
【００８４】
〔作用効果〕
このように構成した第３実施形態では、把持部３１０のホース接続側の端部に設けられた流路切換弁３４０の押しボタン３４１を押圧操作することによって浄水と原水とを切り換えることができ、また、浄水と原水との切換えとは独立に、吐出切換弁３５０の切換レバー３５１を回動操作することによってストレート吐出とシャワー吐出とを切り換えることができるようになる。
【００８５】
いま、流路切換弁３４０の設定位置を、浄水吐出位置（押しボタン押下げ状態）に合わせた場合（図６５〜６９）には、流路切換弁３４０が弁閉状態となり、把持部３１０の上流側に設けられたカートリッジ受け３１７の内面側に形成された流路３１７ｂの上流側が閉鎖状態となって、把持部３１０内に流入した混合水が、水質浄化用カートリッジ３３０の外周側流路３３１からフィルタ３３４および水質浄化材３３３を通過して水質を浄化しつつ水質浄化材３３３の中央空間部３３２に流出して、カートリッジ受け３１６の内面側の流路３１６ｂを介して頭部３２０に形成された空間３２０ａに流出し、吐出切換弁３５０の選択に従って、空間３２０ａから集合通過部材３２６を通過してストレート吐出口３２２またはシャワー吐出口３２３よりシャワープレート３２１の外部に吐出する。
【００８６】
また、流路切換弁３４０の押しボタン３４１を押圧解除して原水吐出位置（押しボタン突出状態）に押し戻した場合（図７９〜８３）には、流路切換弁３４０が弁開状態となり、カートリッジ受け３１７の内面側に形成された流路３１７ｂに連通する流路が開放状態となって、把持部３１０内に流入した混合水が、弁座３４２の側周面に形成された開口３４２ａから弁座３４２内に流入し、弁座３４２の下端部に穿設された開口３４２ｃから、流路３１２ｃを介して、カートリッジ受け３１７の内面側に形成された流路３１７ｂに流出し、さらに水質浄化材３３３の中央空間部３３２と、下流側に設けられたカートリッジ受け３１６の内面側に形成された流路３１６ｂとを介して、頭部３２０に形成された空間３２０ａに流出し、吐出切換弁３５０の選択に従って、空間３２０ａから集合通過部材３２６を通過してストレート吐出口３２２またはシャワー吐出口３２３よりシャワープレート３２１の外部に吐出する。
その後、流路切換弁３４０の押しボタン３４１を把持部３１０の外方から押圧して、再度、浄水吐出位置に押し下げると、前述のような浄水吐出の場合に戻り、浄水を吐出するようになる。
【００８７】
また、吐出切換弁３５０の操作は、流路切換弁３４０の操作とは独立に操作でき、ストレート吐出とシャワー吐出とを任意に設定することができる。
まず、切換レバー３５１を操作してストレート吐出側に回動すると、弁体３５０ａがストレート吐出用流路形成部材３２７の開口３２７ａの位置から外れ、集合通過部材３２６から流出する混合水がストレート吐出用流路形成部材３２７の開口３２７ａへ流入し、ストレート吐出流路３２７ｂを通過してストレート吐出口３２２から吐出する。
そして、切換レバー３５１がストレート吐出側に設定されている場合に、切換レバー３５１を反対方向へ操作してシャワー吐出側に回動すると、図６７または８１に示すように、弁体３５０ａがストレート吐出用流路形成部材３２７の開口３２７ａの上部に位置して開口３２７ａを塞ぎ、集合通過部材３２６から流出する混合水が弁体３５０ａに阻まれてストレート吐出用流路形成部材３２７の周囲に流出し、仕切部材３２５とシャワープレート３２１によって形成されたシャワー吐出面上流側空間３２０ｃを介してシャワー吐出口３２３から吐出するようになる。
その後、切換レバー３５１を操作してストレート吐出側に回動すると、前述のように、ストレート吐出口３２２から吐出するようになる。
【００８８】
これにより、流路切換弁３４０の押しボタン３４１を把持部３１０の外方より押圧することにより、浄水吐出と原水吐出とを容易に切り換えることができ、浄水吐出時には、混合水が水質浄化用カートリッジ３３０の外周側流路３３１から中央空間部３３２へ水質浄化材３３３を通過する際に浄化されるようになる。
これに加えて、吐出切換弁３５０が流路切換弁３４０と完全に独立しているため、原水と浄水のどちらが吐出される場合であっても、ストレート吐出またはシャワー吐出のいずれかを選択して吐出させることができ、４種類の利用可能な形態が選択できる。
【００８９】
〔第４実施形態〕
前記第３実施形態は水質浄化用カートリッジの外周側を浄化前の上流側流路として形成されているが、この第４実施形態では、水質浄化用カートリッジの上流側に流路切換弁を設けるとともに水質浄化用カートリッジの中央空間部を浄化前の上流側流路として形成した場合について具体的に説明する。
以下の説明では、各部材の符号は４００番台の番号にして第３実施形態と識別することにし、また、流路切換弁の構成に係る部材以外の部材については、第３実施形態と同じ構成にするとともに符号を４００番台の下２桁の番号を同じにして説明を省略する。
【００９０】
〔構成〕
浄水機能付きシャワーヘッド４００は、図８４〜８６の矢視断面図に示すように、図示しない混合水栓または混合水栓に設けられたホースに取付けできる端部を有する把持部４１０と、この把持部４１０の混合水栓接続側とは反対側の端部でシャワー吐出できる頭部４２０とを備える。
【００９１】
把持部４１０は、頭部４２０に直結した筒部４１１と混合水栓接続側の筒部４１２とに分け、この両筒部４１１，４１２の結合部分には着脱自在かつ一体的に組み合わせることができるようにするねじ結合部を形成した中継部４１３を形成する。この中継部４１３の螺合を解除して筒部４１１と筒部４１２を分離することにより、把持部４１０の内部に水質浄化用カートリッジ４３０を収容することができるようになる。
また、混合水栓接続側の端部には円筒状のホース接続部４１４を設け、その先端部にホース取付ねじ４１５を形成して、ホースとの着脱を容易にする。また、把持部４１０のホース取付側の端部には、水質浄化用カートリッジ４３０の上流側に流路切換弁４４０を設け、その操作端である押しボタン４４１を把持部外周面より突出して、把持部４１０の外部から流路切換弁４４０を操作できるように形成する。
【００９２】
頭部４２０は、頂部が曲面に形成され主要部が略円筒形状に形成されて、内部に特別な突出部が設けられておらず、把持部４１０から流入した混合水が滞留する空間（空洞）４２０ａを頭部外皮４２０ｂにより形成し、混合水が一様に吐出する吐出面を有して着脱自在なシャワープレート４２１を形成し、そのシャワープレート４２１の中央部にストレート吐出口４２２を設け、その周囲を囲むようにシャワー吐出口４２３を設け、ストレート吐出とシャワー吐出とを切り換える吐出切換弁４５０を内設し、その吐出切換弁４５０の操作部となる切換レバー４５１をシャワープレート４２１の外部に突出配置する。
【００９３】
この浄水機能付きシャワーヘッド４００では、把持部４１０に内蔵した水質浄化用カートリッジ４３０の中央空間部４３２を原水流路の一部とし、水質浄化用カートリッジ４３０の外周側流路４３１を浄水流路または原水流路の一部として利用する。
この場合の水質浄化用カートリッジ４３０は、中心軸と同心的に軸方向に長い貫通孔（中央空間部４３２）を設けて筒状に形成した活性炭を主成分とする水質浄化材４３３と、その中央空間部４３２の内面に不織布、スポンジまたは網等からなるフィルタ４３５を周設したものに、把持部内で同心的に嵌め合い、位置固定するための端部用キャップ４３０ａ，４３０ｂを各端部に取り付けたものである。
【００９４】
把持部４１０の頭部側に位置する筒部４１１には、内部の頭部４２０との境界位置に周上等間隔３個の平板状に形成したリブ４１１ｂ，…，４１１ｂを突設し、このリブ突設位置に水質浄化用カートリッジ４３０に設けられた下流側の端部用キャップ４３０ａを差し込むことによって、水質浄化用カートリッジ４３０の下流側端部を芯出しおよび位置固定できるようにする。
そして、筒部４１２の上流側に位置する端部に配設された流路切換弁４４０の下流側に筒部４１２と同軸な円筒形状に形成したカートリッジ受け４１７を突設し、このカートリッジ受け４１７の上流側の外周端には流路切換弁組込部４１２ａの下流側に接するとともに筒部４１２の内壁面に達するフランジを形作る壁面４１８を設けて筒部４１２を軸方向に仕切ることにより水質浄化用カートリッジ４３０の内外の流路を規制し、筒部４１１と筒部４１２との中継部４１３を螺合して、筒部４１２を筒部４１１に組付けることにより、水質浄化用カートリッジ４３０の上流側（混合水栓接続側）の端部用キャップ４３０ｂの挿入端をカートリッジ受け４１７に嵌合し、芯出しおよび位置固定して、把持部４１０の中に水質浄化用カートリッジ４３０を略同軸的に収容する。
【００９５】
これにより、リブ４１１ｂ配置箇所の周辺は、浄水流路の一部を形成するとともに原水流路の一部を形成する。
また、カートリッジ受け４１７の内面側の流路４１７ｂは、水質浄化用カートリッジ４３０の中央空間部４３２と連通して浄化用の原水流路の入口部を形成し、カートリッジ受け４１７の外周側の流路４１７ａは、水質浄化用カートリッジ４３０の外周側流路４３１と連通して流路切換弁下流側の原水流路入口部を形成する。
【００９６】
頭部４２０の内部に形成された空間４２０ａの下流側であって吐出切換弁４５０を収容する部分の上流側には、空間４２０ａとシャワー吐出面上流側空間４２０ｃとの間を仕切る仕切部材４２５を設け、その仕切部材４２５の円盤状仕切板４２５ａの中央部に集合通過部材４２６を設ける。
仕切部材４２５の下流側に設けられる吐出切換弁４５０は、その弁体４５０ａが集合通過部材４２６の直下に位置できるように配置する。
そして、集合通過部材４２６および吐出切換弁４５０の弁体４５０ａが上下に配置された位置の、さらに下流側には、シャワープレート４２１に形成されたストレート吐出口４２２に連通するストレート吐出用流路形成部材４２７を立設する。
【００９７】
頭部４２０は、図８７〜９１に示すように、把持部側に筒部４１１を突出し、その突出した筒部４１１の外周面には、結合時の芯出し用の円筒部４１３ａを形成し、この中継部４１３の先端側に筒部４１２とねじ結合するための雄ねじ４１３ｂを形成し、さらに、円筒部４１３ａの軸方向の基部には、中継部４１３の漏止めに必要なＯリング（図８４参照）を嵌め込むＯリング溝４１３ｆを刻設して、中継部４１３の雄側を形成する。
頭部４２０と筒部４１１との境界となる周壁面には、筒部側における内面に周上等間隔に３個のリブ４１１ｂ，…，４１１ｂを突出する。各リブ４１１ｂは水質浄化用カートリッジ４３０の下流側の端部用キャップ４３０ａの外径寸法に合わせて内接円の径を設定し、端部用キャップ４３０ａが各リブ４１１ｂの先端面により支持されるように、内壁面からの高さを調節し、そして、軸方向への移動を抑えるための軸方向に対して垂直な面を有する段差当接部４１１ｃを設けて、２段の高さを有する支持部材に成形する。
そして、頭部外皮４２０ｂにより、頭部４２０の頂部が曲面に形成され主要部が略円筒状に形成されて、内部に特別な突出部が設けられていない空間を形成して、頭部４２０の吐出側には仕切板や吐出切換弁等を収容することができるようにする。
【００９８】
筒部４１１と分離結合可能に形成される筒部４１２は、図９２〜９６に示すように、略円筒形状で、ホース接続側の端部に円形の孔を設けた端面４１２ｂを有し、その端面から円筒状のホース接続部４１４を突出し、その先端部にホース取付ねじ４１５を形成し、ホース接続部４１４の外周側には水栓本体のホルダ部に嵌め込み支持する際の位置決めリブとなる突起部４１４ａを突設する。
筒部４１２の下流側の端部には、中継部４１３の雌側を形成し、その内面側に雌ねじ４１３ｃと、嵌合用の円筒内面４１３ｄを雌ねじ形成箇所の先端側に形成し、筒部４１１の雄側の中継部４１３に螺着して、把持部４１０を形成することができるようにする。
筒部４１２の上流側の端部には、端面４１２ｂに一側面を接するように配置して筒部４１２の中心軸に対して略垂直な方向に中心軸を向けた平面形状が略正方形の有底角筒形状に形成された流路切換弁組込部４１２ａと、この流路切換弁組込部４１２ａと同軸的に配置して、上端部を流路切換弁組込部４１２ａの下端部に底壁を貫通して挿入した、弁体嵌合用に形成された有底円筒形状の弁座４４２とを配設する。
【００９９】
そして、水質浄化用カートリッジ４３０の上流側に設けられた端部用キャップ４３０ｂに形成されている端縁部（挿入端部）の外径寸法に合わせて内径寸法を形成した、有底円筒形状のカートリッジ受け４１７を筒部４１２と同軸的に配置するとともに開口側を下流側に向け、カートリッジ受け４１７の有底側を流路切換弁組込部４１２ａの最下流側の外端面に一体的に形成する。
カートリッジ受け４１７の外周側に位置する壁面４１８の下端部と弁座４４２の下端部とにそれぞれ開口４１８ａと開口４４２ｃを設け、それらの開口４１８ａと開口４４２ｃとの間を連通する角筒形状の流路４１２ｄを設けて、弁座４４２の内部から流路４１２ｄを経由してカートリッジ受け４１７の外面側に形成された流路４１７ａの下方に達する混合水の流路を形成する。
流路切換弁組込部４１２ａの底板よりも下方に位置し、かつ、筒部４１２の端面４１２ｂ側に位置する弁座４４２の側周面には、略中央部に半周にわたる比較的広幅の切込みにより形成した開口４４２ａを設け、弁開状態では、ホース接続側から筒部４１２の内部に流入した混合水が、開口４４２ａから弁座４４２の内部に流入し、開口４４２ｃから流出して、流路４１２ｄを介してカートリッジ受け４１７の外面側に形成された流路４１７ａを通過する。また、弁閉状態では弁座４４２の内部に流入せずに、弁座４４２の外周側を介してカートリッジ受け４１７の内面側に形成された流路４１７ｂを通過する。
【０１００】
原水と浄水とを切り換える流路切換弁４４０は、弁座４４２の内外に取り付ける各部材が第１，２実施形態で使用されたものと同一の部材を利用する。
すなわち、流路切換弁組込部４１２ａに固定される弁座４４２と、弁座４４２に組み込まれて押しボタン４４１により動かされる弁体４４３と、弁座４４２の底面と弁体４４３の下端との間に介装されて押しボタン４４１の押圧力が解除されたときに弁体４４３を押し戻すコイルスプリング４４４と、押しボタン４４１と弁体４４３との間に介装されて弁体４４３の軸方向の位置を変更する弁体位置切換機構４４５とからなる。
【０１０１】
頭部４２０の内部に組み込まれる仕切部材４２５は、円盤状仕切板４２５ａの中央部にシャワー吐出側またはストレート吐出側への入口部へ移行するための集合通過部材４２６を嵌合する。そして、外周縁の下側にシャワープレート４２１を螺合できるようにするとともに、ねじ形成箇所の上側にはＯリングにより漏止めができるようにする。
仕切部材４２５の下流側に位置する吐出面形成部材としてのシャワープレート４２１は、平板状の円板部から外周縁を立ち上げた形状に形成し、円板部の中央部にストレート吐出口４２２を穿設し、このストレート吐出口４２２に隣接して吐出切換弁４５０の軸を貫通させて軸支し、ストレート吐出口４２２と軸支箇所とを除いた面のストレート吐出口４２２の周囲にシャワー吐出口４２３となる小孔を多数個略均等な間隔で穿設する。
【０１０２】
さらに、ストレート吐出口４２２の上部には、ストレート吐出用流路形成部材４２７を設け、シャワープレート中央部にストレート吐出用流路形成部材４２７を立設して、ストレート吐出側の流路（ストレート吐出流路４２７ｂ）とシャワー吐出側の流路（シャワー吐出面上流側空間４２０ｃ）とを仕切ることができるようにする。
シャワープレート中央部に立設するストレート吐出用流路形成部材４２７は、上端縁が内面側に縮径された端部を有する円筒形状に形成され、円筒部の内部がストレート吐出流路４２７ｂとして利用され、その上端に形成された開口４２７ａの開口径が円筒部分の内径よりも小さくなるように形成して、吐出切換弁４５０の弁体４５０ａを載置し易くする。
【０１０３】
吐出切換弁４５０は、シャワープレート４２１を貫通して軸回りに回動自在に支持される弁軸を一体に設けた切換レバー４５１と、集合通過部材４２６とストレート吐出用流路形成部材４２７との間に設けられた隙間に配置できるように上面を浅い凹面に形成した薄い皿状に形成した弁体４５０ａとに分割される。
この吐出切換弁４５０は、弁体４５０ａを集合通過部材４２６から僅かに隙間をあけた直近の下流に配置し、弁体４５０ａの下面をストレート吐出用流路形成部材４２７の上端に形成された開口４２７ａに接触できる直近の位置に配置して、ストレート吐出用流路形成部材４２７の蓋として上部から覆い被さることができるようにし、また、切換レバー４５１の操作によって、弁体４５０ａが開口４２７ａの真上の位置から弁体４５０ａの全体が開口４２７ａの位置から外れるまでの範囲で、弁体４５０ａがストレート吐出用流路形成部材４２７の上端に出入り自在に回動できるように、切換レバー４５１の回動角度を設定する。
【０１０４】
〔作用効果〕
このように構成した第４実施形態では、把持部４１０のホース接続側の端部に設けられた流路切換弁４４０の押しボタン４４１を押圧操作することによって浄水と原水とを切り換えることができ、また、浄水と原水との切換えとは独立に、吐出切換弁４５０の切換レバー４５１を回動操作することによってストレート吐出とシャワー吐出とを切り換えることができるようになる。
【０１０５】
いま、流路切換弁４４０の設定位置を、浄水吐出位置（押しボタン押下げ状態）に合わせた場合（図８４〜８６）には、流路切換弁４４０が弁閉状態となり、把持部４１０の上流側に設けられたカートリッジ受け４１７の内面側に形成された流路４１７ｂの上流側が開放状態となって、把持部４１０内に流入した混合水が、流路４１７ｂを介して水質浄化用カートリッジ４３０の中央空間部４３２に流入し、この中央空間部４３２からフィルタ４３５および水質浄化材４３３を通過して水質を浄化しつつ外周側流路４３１に流出し、各リブ４１１ｂ，…，４１１ｂの間を通過して頭部４２０に形成された空間４２０ａに流出し、吐出切換弁４５０の選択に従って、空間４２０ａから集合通過部材４２６を通過してストレート吐出口４２２またはシャワー吐出口４２３よりシャワープレート４２１の外部に吐出する。
【０１０６】
また、流路切換弁４４０の押しボタン４４１を押圧解除して原水吐出位置（押しボタン突出状態）に押し戻した場合（図９７〜９９）には、流路切換弁４４０が弁開状態となり、弁座４４２からカートリッジ受け４１７の外周側に形成された流路４１７ａに連通する流路４１２ｄが開放状態となって、把持部４１０内に流入した混合水が、弁座４４２の側周面に形成された開口４４２ａから弁座４４２内に流入し、弁座４４２の下端部に穿設された開口４４２ｃから、流路４１２ｄを介して、カートリッジ受け４１７の外周側に形成された流路４１７ａに流出し、さらに水質浄化用カートリッジ４３０の外周側流路４３１から各リブ４１１ｂの間を通過して、頭部４２０に形成された空間４２０ａに流出し、吐出切換弁４５０の選択に従って、空間４２０ａから集合通過部材４２６を通過してストレート吐出口４２２またはシャワー吐出口４２３よりシャワープレート４２１の外部に吐出する。
その後、流路切換弁４４０の押しボタン４４１を把持部４１０の外方から押圧して、再度、浄水吐出位置に押し下げると、前述のような浄水吐出の場合に戻り、浄水を吐出するようになる。
【０１０７】
また、吐出切換弁４５０の操作は、流路切換弁４４０の操作とは独立に操作でき、ストレート吐出とシャワー吐出とを任意に設定することができる。
まず、切換レバー４５１を操作してストレート吐出側に回動すると、弁体４５０ａがストレート吐出用流路形成部材４２７の開口４２７ａの位置から外れ、集合通過部材４２６から流出する混合水がストレート吐出用流路形成部材４２７の開口４２７ａへ流入し、ストレート吐出流路４２７ｂを通過してストレート吐出口４２２から吐出する。
【０１０８】
そして、切換レバー４５１がストレート吐出側に設定されている場合に、切換レバー４５１を反対方向へ操作してシャワー吐出側に回動すると、図８４または９７に示すように、弁体４５０ａがストレート吐出用流路形成部材４２７の開口４２７ａの上部に位置して開口４２７ａを塞ぎ、集合通過部材４２６から流出する混合水が弁体４５０ａに阻まれてストレート吐出用流路形成部材４２７の周囲に流出し、仕切部材４２５とシャワープレート４２１によって形成されたシャワー吐出面上流側空間４２０ｃを介してシャワー吐出口４２３から吐出するようになる。
その後、切換レバー４５１を操作してストレート吐出側に回動すると、前述のように、ストレート吐出口４２２から吐出するようになる。
【０１０９】
これにより、流路切換弁４４０の押しボタン４４１を把持部４１０の外方より押圧することにより、浄水吐出と原水吐出とを容易に切り換えることができ、浄水吐出時には、混合水が水質浄化用カートリッジ４３０の中央空間部４３２から外周側流路４３１へ水質浄化材４３３を通過する際に浄化されるようになり、また、原水吐出時には、水質浄化用カートリッジ４３０の外周側流路４３１を通過することによって、操作性良く浄水吐出と原水吐出との切換えができる。
これに加えて、吐出切換弁４５０が流路切換弁４４０と完全に独立しているため、原水と浄水のどちらが吐出される場合であっても、ストレート吐出またはシャワー吐出のいずれかを選択して吐出させることができ、４種類の利用可能な形態が容易に選択できる。
【０１１０】
【発明の効果】
以上のように本発明に係る浄水機能付きシャワーヘッドは、シャワー吐出口を有する頭部と水質浄化用カートリッジを交換可能に収容する把持部とを一体に形成し、この把持部の水質浄化用カートリッジ収容箇所の上流側または下流側に浄水と原水とを切り換える流路切換弁を設け、この流路切換弁を前記把持部の中心軸に対して交差方向に移動する弁体を設けた平行移動式遮断弁として形成するとともに流路切換弁配置位置の外部に前記流路切換弁の押しボタン式操作部を配置して前記流路切換弁を外部より操作可能に形成し、さらに前記頭部の吐出口の上流側に前記流路切換弁とは独立に機能してシャワー吐出とストレート吐出とを切り換える吐出切換弁を設け、この吐出切換弁を弁座流路に対して交差方向に弁体が移動する遮断弁として形成するとともに吐出切換弁配置位置近傍の外部に前記吐出切換弁の操作部を配置して前記吐出切換弁を外部より操作可能に形成したことにより、流路切換弁の押しボタンを押圧することにより容易に浄水と原水とを切り換えることができ、また、吐出切換弁の操作部を操作して容易にシャワー吐出とストレート吐出とを切り換えることができて、操作性が良く、流路切換弁と吐出切換弁との部材の形状も簡単な形状で済み、流路切換機構も簡素化されて、取扱容易かつ製造容易となり、コストを低減化できる。
【０１１１】
また、本発明に係る浄水機能付きシャワーヘッドは、前記流路切換弁が前記把持部に固定された筒状の弁座と、この弁座に内嵌されて前記筒状の弁座の軸方向に移動する弁体とを有し、原水と浄水のいずれか一方を弁座の内部を通過する流路として形成したことにより、流路切換弁の押しボタンを押圧することにより容易に浄水と原水とを切り換えることができ、操作性が良く、部材の形状も簡単な形状で済み、流路切換機構も簡素化されて、取扱容易かつ製造容易とすることができる。
また、本発明に係る浄水機能付きシャワーヘッドは、前記水質浄化用カートリッジには外周面にフィルタを設け、外周側から内面側へ抜ける浄化流路を形成したことにより、流路構成が簡素化できるとともにコンパクトにでき、把持部の構造が単純になって、水質浄化材の内容物をより多く収納できる。また、外周側の流路を原水吐出と浄水吐出との両方の場合に共用される流路として形成した場合には、浄水吐出時に蓄積された目詰りを引き起こすような固形物質を原水吐出時に洗い流すことができ、目詰りしにくくするとともに水質浄化用カートリッジの寿命を長くすることができる。
【０１１２】
また、本発明に係る浄水機能付きシャワーヘッドは、前記水質浄化用カートリッジには内面にフィルタを設け、内面側から外周面側へ抜ける浄化流路を形成したことにより、流路構成が簡素化できるとともにコンパクトにでき、把持部の構造が単純になって、水質浄化材の内容物をより多く収納できる。また、内面側の流路を原水吐出と浄水吐出との両方の場合に共用される流路として形成した場合には、浄水吐出時に蓄積された目詰りを引き起こすような固形物質を原水吐出時に洗い流すことができ、目詰りしにくくするとともに水質浄化用カートリッジの寿命を長くすることができる。
また、本発明に係る浄水機能付きシャワーヘッドは、前記吐出切換弁を弁座流路に対して平行な軸の回りに弁体を回動する回動式遮断弁として形成したことにより、弁体を薄板状に形成して収容空間を流路方向に圧縮することができ、頭部の大きさをより小さくすることができる。
また、本発明に係る浄水機能付きシャワーヘッドは、前記吐出切換弁を弁軸に対して前記弁体の板面を略垂直に向け、アーム部を介して前記弁軸から離間した位置に前記板面を配置して、前記弁体を弁軸回りに回動する回動式遮断弁として形成したことにより、弁体の回動角に対する弁体の移動距離が大きくとれて、離間移動により弁座から弁体を外すことができ、狭い収容空間に設けた弁体の動作を効果的にして、弁座から離間する場合に少ない回転角で弁座から弁体を外すことができ、混合水の出力方向であるシャワー吐出とストレート吐出と効果的に切り換えることができる。
【図面の簡単な説明】
【図１】本発明の第１実施形態の浄水機能付きシャワーヘッドを示す側面図である。
【図２】同上浄水機能付きシャワーヘッドを示す平面図である。
【図３】同上浄水機能付きシャワーヘッドを浄水吐出時の状態で示す側面断面図（図２のＢ−Ｂ矢視図）である。
【図４】同上浄水機能付きシャワーヘッドを浄水吐出時の状態で示す平面断面図（図１のＡ−Ａ矢視図）である。
【図５】同上浄水機能付きシャワーヘッドの浄水吐出時の状態における流路切換弁の位置で示す横断面図（図１のＣ−Ｃ矢視図）である。
【図６】同上浄水機能付きシャワーヘッドに組み付けられる流路切換弁を示す分解斜視図である。
【図７】同上浄水機能付きシャワーヘッドの頭部を示す上平面図である。
【図８】同上浄水機能付きシャワーヘッドの頭部を示す下平面図である。
【図９】同上浄水機能付きシャワーヘッドの頭部を示す側面断面図（図７のＤ−Ｄ矢視図）である。
【図１０】同上浄水機能付きシャワーヘッドの頭部に形成された流路切換弁の流入位置における平面断面図（図９のＥ−Ｅ矢視図）である。
【図１１】同上浄水機能付きシャワーヘッドの頭部と把持部の筒部との間に形成された隔壁の位置における横断面図（図９のＦ−Ｆ矢視図）である。
【図１２】同上浄水機能付きシャワーヘッドの頭部に形成された流路切換弁配設位置における横断面図（図９のＧ−Ｇ矢視図）である。
【図１３】同上浄水機能付きシャワーヘッドにおける流路切換弁の押しボタンを拡大して示す下平面図である。
【図１４】同上浄水機能付きシャワーヘッドにおける流路切換弁の押しボタンを拡大して示す側面断面図（図１３のＨ−Ｈ矢視図）である。
【図１５】同上浄水機能付きシャワーヘッドにおける流路切換弁の押しボタンを拡大して示す正面断面図（図１３のＩ−Ｉ矢視図）である。
【図１６】同上浄水機能付きシャワーヘッドにおける流路切換弁の弁体を拡大して示す正面図である。
【図１７】同上浄水機能付きシャワーヘッドにおける流路切換弁の弁体を拡大して示す側面図である。
【図１８】同上浄水機能付きシャワーヘッドにおける流路切換弁の弁体を拡大して示す上平面図である。
【図１９】同上浄水機能付きシャワーヘッドにおける流路切換弁の弁体を拡大して示す下平面図である。
【図２０】同上浄水機能付きシャワーヘッドにおける流路切換弁の弁体を拡大して示す側面断面図（図１６のＪ−Ｊ矢視図）である。
【図２１】同上浄水機能付きシャワーヘッドにおける弁体位置切換機構の第１切換こまを拡大して示す説明図であり、（Ａ）は側面図、（Ｂ）は正面図、（Ｃ）は後正面図、（Ｄ）は上平面図、（Ｅ）は下平面図である。
【図２２】同上浄水機能付きシャワーヘッドにおける弁体位置切換機構の第２切換こまを拡大して示す説明図であり、（Ａ）は側面図、（Ｂ）は後正面図、（Ｃ）は上平面図、（Ｄ）は下平面図である。
【図２３】同上浄水機能付きシャワーヘッドにおける弁体位置切換機構の切換リングを拡大して示す説明図であり、（Ａ）は側面図、（Ｂ）は後正面図、（Ｃ）は上平面図、（Ｄ）は下平面図、（Ｅ）は正面断面図（図２３（Ｃ）のＫ−Ｋ矢視図）である。
【図２４】同上浄水機能付きシャワーヘッドにおける弁体位置切換機構の切換リング支持部材を拡大して示す正面図である。
【図２５】同上浄水機能付きシャワーヘッドにおける弁体位置切換機構の切換リング支持部材を拡大して示す上平面図である。
【図２６】同上浄水機能付きシャワーヘッドにおける弁体位置切換機構の切換リング支持部材を拡大して示す下平面図である。
【図２７】同上浄水機能付きシャワーヘッドにおける弁体位置切換機構の切換リング支持部材を拡大して示す側面断面図（図２５のＬ−Ｌ矢視図）である。
【図２８】同上浄水機能付きシャワーヘッドにおける混合水栓接続側の把持部を示す平面図である。
【図２９】同上浄水機能付きシャワーヘッドにおける混合水栓接続側の把持部を示す正面図である。
【図３０】同上浄水機能付きシャワーヘッドにおける混合水栓接続側の把持部を示す後正面図である。
【図３１】同上浄水機能付きシャワーヘッドにおける混合水栓接続側の把持部を示す縦断面図（図２８のＭ−Ｍ矢視図）である。
【図３２】同上浄水機能付きシャワーヘッドにおける仕切部材を示す上平面図である。
【図３３】同上浄水機能付きシャワーヘッドにおける仕切部材を示す側面断面図（図３２のＮ−Ｎ矢視図）である。
【図３４】同上浄水機能付きシャワーヘッドにおける仕切部材を示す下平面図である。
【図３５】同上浄水機能付きシャワーヘッドにおける集合通過部材を拡大して示す上平面図である。
【図３６】同上浄水機能付きシャワーヘッドにおける集合通過部材を拡大して示す側面断面図（図３５のＯ−Ｏ矢視図）である。
【図３７】同上浄水機能付きシャワーヘッドにおける集合通過部材を拡大して示す下平面図である。
【図３８】同上浄水機能付きシャワーヘッドにおけるシャワープレートを示す上平面図である。
【図３９】同上浄水機能付きシャワーヘッドにおけるシャワープレートを示す左側面図である。
【図４０】同上浄水機能付きシャワーヘッドにおけるシャワープレートを示す下平面図である。
【図４１】同上浄水機能付きシャワーヘッドにおけるシャワープレートを示す側面断面図（図３８のＰ−Ｐ矢視図）である。
【図４２】同上浄水機能付きシャワーヘッドにおけるストレート吐出用流路形成部材を示す上平面図である。
【図４３】同上浄水機能付きシャワーヘッドにおけるストレート吐出用流路形成部材を示す下平面図である。
【図４４】同上浄水機能付きシャワーヘッドにおけるストレート吐出用流路形成部材を示す縦断面図（図４２のＱ−Ｑ矢視図）である。
【図４５】同上浄水機能付きシャワーヘッドにおける吐出切換弁の切換レバーを示す説明図であり、（Ａ）は側面図、（Ｂ）は正面図、（Ｃ）は後正面図、（Ｄ）は上平面図、（Ｅ）は下平面図である。
【図４６】同上浄水機能付きシャワーヘッドにおける吐出切換弁の弁体を示す説明図であり、（Ａ）は側面図、（Ｂ）は正面図、（Ｃ）は後正面図、（Ｄ）は上平面図、（Ｅ）は下平面図である。
【図４７】同上浄水機能付きシャワーヘッドにおける吐出切換弁の弁体を示す側面断面図（図４６（Ｄ）のＲ−Ｒ矢視図）である。
【図４８】同上浄水機能付きシャワーヘッドを原水吐出時の状態で示す側面図である。
【図４９】同上浄水機能付きシャワーヘッドを原水吐出時の状態で示す側面断面図（図２のＢ−Ｂ矢視相当図）である。
【図５０】同上浄水機能付きシャワーヘッドを原水吐出時の状態で示す平面断面図（図４８のＡ−Ａ矢視図）である。
【図５１】同上浄水機能付きシャワーヘッドを原水吐出時の状態で示す流路切換弁の位置における横断面図（図４８のＣ−Ｃ矢視図）である。
【図５２】本発明の第２実施形態の浄水機能付きシャワーヘッドにおける浄水吐出時の状態を示す側面断面図（図２のＢ−Ｂ矢視相当図）である。
【図５３】同上浄水機能付きシャワーヘッドにおける浄水吐出時の状態を示す平面断面図（図１のＡ−Ａ矢視相当図）である。
【図５４】同上浄水機能付きシャワーヘッドにおける流路切換弁の位置で示す横断面図（図１のＣ−Ｃ矢視相当図）である。
【図５５】同上浄水機能付きシャワーヘッドの頭部を示す上平面図である。
【図５６】同上浄水機能付きシャワーヘッドの頭部を示す下平面図である。
【図５７】同上浄水機能付きシャワーヘッドの頭部を示す側面断面図（図５５のＤ−Ｄ矢視図）である。
【図５８】同上浄水機能付きシャワーヘッドの頭部を示す平面断面図（図５７のＥ−Ｅ矢視図）である。
【図５９】同上浄水機能付きシャワーヘッドにおける混合水栓接続側の把持部を示す上平面図である。
【図６０】同上浄水機能付きシャワーヘッドにおける混合水栓接続側の把持部を示す正面図である。
【図６１】同上浄水機能付きシャワーヘッドにおける混合水栓接続側の把持部を示す側面断面図（図５９のＦ−Ｆ矢視図）である。
【図６２】同上浄水機能付きシャワーヘッドを原水吐出時の状態で示す側面断面図（図２のＢ−Ｂ矢視相当図）である。
【図６３】同上浄水機能付きシャワーヘッドを原水吐出時の状態で示す平面断面図（図１のＡ−Ａ矢視相当図）である。
【図６４】同上浄水機能付きシャワーヘッドの原水吐出時の状態における流路切換弁の位置で示す横断面図（図１のＣ−Ｃ矢視相当図）である。
【図６５】本発明の第３実施形態の浄水機能付きシャワーヘッドを示す側面図である。
【図６６】同上浄水機能付きシャワーヘッドを示す平面図である。
【図６７】同上浄水機能付きシャワーヘッドを浄水吐出時の状態で示す側面断面図（図６６のＢ−Ｂ矢視図）である。
【図６８】同上浄水機能付きシャワーヘッドを浄水吐出時の状態で示す平面断面図（図６５のＡ−Ａ矢視図）である。
【図６９】同上浄水機能付きシャワーヘッドを浄水吐出時の状態における流路切換弁の位置で示す横断面図（図６５のＣ−Ｃ矢視図）である。
【図７０】同上浄水機能付きシャワーヘッドの頭部を示す上平面図である。
【図７１】同上浄水機能付きシャワーヘッドの頭部を示す下平面図である。
【図７２】同上浄水機能付きシャワーヘッドの頭部を示す側面断面図（図７０のＤ−Ｄ矢視図）である。
【図７３】同上浄水機能付きシャワーヘッドの頭部を示す平面断面図（図７２のＥ−Ｅ矢視図）である。
【図７４】同上浄水機能付きシャワーヘッドにおける混合水栓接続側の把持部を示す平面図である。
【図７５】同上浄水機能付きシャワーヘッドにおける混合水栓接続側の把持部を示す正面図である。
【図７６】同上浄水機能付きシャワーヘッドにおける混合水栓接続側の把持部を示す側面断面図（図７４のＦ−Ｆ矢視図）である。
【図７７】同上浄水機能付きシャワーヘッドにおける混合水栓接続側の把持部を示す平面断面図（図７６のＧ−Ｇ矢視図）である。
【図７８】同上浄水機能付きシャワーヘッドにおける混合水栓接続側の把持部を示す縦断面図（図７４のＨ−Ｈ矢視図）である。
【図７９】同上浄水機能付きシャワーヘッドを原水吐出時の状態で示す側面図である。
【図８０】同上浄水機能付きシャワーヘッドを原水吐出時の状態で示す平面図である。
【図８１】同上浄水機能付きシャワーヘッドを原水吐出時の状態で示す側面断面図（図８０のＢ−Ｂ矢視図）である。
【図８２】同上浄水機能付きシャワーヘッドを原水吐出時の状態で示す平面断面図（図７９のＡ−Ａ矢視図）である。
【図８３】同上浄水機能付きシャワーヘッドの原水吐出時の状態における流路切換弁の位置で示す横断面図（図７９のＣ−Ｃ矢視図）である。
【図８４】本発明の第４実施形態の浄水機能付きシャワーヘッドにおける浄水吐出時の状態を示す側面断面図（図６６のＢ−Ｂ矢視相当図）である。
【図８５】同上浄水機能付きシャワーヘッドにおける浄水吐出時の状態を示す平面断面図（図６５のＡ−Ａ矢視相当図）である。
【図８６】同上浄水機能付きシャワーヘッドにおける浄水吐出時の状態を流路切換弁の位置で示す横断面図（図６５のＣ−Ｃ矢視相当図）である。
【図８７】同上浄水機能付きシャワーヘッドの頭部を示す上平面図である。
【図８８】同上浄水機能付きシャワーヘッドの頭部を示す下平面図である。
【図８９】同上浄水機能付きシャワーヘッドの頭部を示す後正面図である。
【図９０】同上浄水機能付きシャワーヘッドの頭部を示す側面断面図（図８７のＤ−Ｄ矢視図）である。
【図９１】同上浄水機能付きシャワーヘッドの頭部を示す平面断面図（図９０のＥ−Ｅ矢視図）である。
【図９２】同上浄水機能付きシャワーヘッドにおける混合水栓接続側の把持部を示す平面図である。
【図９３】同上浄水機能付きシャワーヘッドにおける混合水栓接続側の把持部を示す正面図である。
【図９４】同上浄水機能付きシャワーヘッドにおける混合水栓接続側の把持部を示す側面断面図（図９２のＦ−Ｆ矢視図）である。
【図９５】同上浄水機能付きシャワーヘッドにおける混合水栓接続側の把持部を示す平面断面図（図９４のＧ−Ｇ矢視図）である。
【図９６】同上浄水機能付きシャワーヘッドにおける混合水栓接続側の把持部を示す横断面図（図９２のＨ−Ｈ矢視図）である。
【図９７】同上浄水機能付きシャワーヘッドの原水吐出時の状態で示す側面断面図（図６６のＢ−Ｂ矢視相当図）である。
【図９８】同上浄水機能付きシャワーヘッドの原水吐出時の状態で示す平面断面図（図６５のＡ−Ａ矢視相当図）である。
【図９９】同上浄水機能付きシャワーヘッドの原水吐出時の状態における流路切換弁の位置で示す横断面図（図６５のＣ−Ｃ矢視相当図）である。
【符号の説明】
１００，２００，３００，４００  浄水機能付きシャワーヘッド
１１０，２１０，３１０，４１０  把持部
１１１，１１２，２１１，２１２，３１１，３１２，４１１，４１２    筒部
１１１ａ，２１１ａ，３１１ａ，４１１ａ  流路切換弁組込部
１１１ｃ，２１１ｃ  隔壁
１１１ｄ，１１１ｅ  開口
１１２ａ，４１１ｂ  リブ
１１２ｂ，２１２ｂ  端面
１１３，２１３，３１３，４１３  中継部
１１３ａ，２１３ａ，３１３ａ，４１３ａ  円筒部外面
１１３ｂ，２１３ｂ，３１３ｂ，４１３ｂ  雄ねじ
１１３ｃ，２１３ｃ，３１３ｃ，４１３ｃ  雌ねじ
１１３ｄ，２１３ｄ，３１３ｄ，４１３ｄ  円筒部内面
１１４，２１４，３１４，４１４  ホース接続部
１１４ａ，２１４ａ，３１４ａ，４１４ａ  突起部
１１５，２１５，３１５，３１５  ホース取付ねじ
１１６，２１６，２１７，３１６，３１７，４１７  カートリッジ受け
１１６ａ，２１６ａ，３１６ａ  （外周側の）流路
１１６ｂ，２１６ｂ，３１６ｂ  （内面側の）流路
１２０，２２０，３２０，４２０  頭部
１２０ａ，２２０ａ，３２０ａ，４２０ａ  空間（空洞）
１２０ｂ，２２０ｂ，３２０ｂ，４２０ｂ  頭部外皮
１２０ｃ，２２０ｃ，３２０ｃ，４２０ｃ  シャワー吐出面上流側空間（または吐出切換弁収容空間）
１２１，２２１，３２１，４２１  シャワープレート
１２２，２２２，３２２，４２２  ストレート吐出口
１２３，２２３，３２３，４２３  シャワー吐出口
１２４  軸孔
１２５，２２５，３２５，４２５  仕切部材
１２６，２２６，３２６，４２６  集合通過部材
１２７，２２７，３２７，４２７  ストレート吐出用流路形成部材
１２７ａ，２２７ａ，３２７ａ，４２７ａ  開口
１２７ｂ，２２７ｂ，３２７ｂ，４２７ｂ  ストレート吐出流路
１３０，２３０，３３０，４３０  水質浄化用カートリッジ
１３０ａ，１３０ｂ，２３０ａ，２３０ｂ，３３０ａ，３３０ｂ，４３０ｂ  端部用キャップ
１３１，２３１，３３１，４３１  外周側流路
１３２，２３２，３３２，４３２  中央空間部
１３３，２３３，３３３，４３３  水質浄化材
１３４，３３４，２３５，４３５  フィルタ
１４０，２４０，３４０，４４０  流路切換弁
１４１，２４１，３４１，４４１  押しボタン
１４１ａ  案内溝
１４１ｂ  係合部
１４１ｃ  凹部
１４２，２４２，３４２，４４２  弁座
１４２ａ，３４２ａ，３４２ｃ，４４２ａ，４４２ｃ  開口
１４２ｂ，２４２ｂ，３４２ｂ，４４２ｂ  係止部
１４３，２４３，３４３，４４３  弁体
１４３ａ  本体
１４３ｂ  Ｏリング溝
１４３ｃ  Ｙリング溝
１４３ｄ  凹部
１４３ｅ  円柱状突出部
１４３ｆ  円柱状突出部
１４３ｇ  凹部
１４３ｈ  係止アーム
１４３ｉ  係止部
１４３ｊ，１４３ｋ  座
１４３ｍ，１４３ｎ  リブ
１４４，２４４，３４４，４４４  コイルスプリング
１４５，２４５，３４５，４４５  弁体位置切換機構
１４５ａ  第１切換こま
１４５ｂ  第２切換こま
１４５ｃ  切換リング
１４５ｄ  切換リング支持部材
１４６  Ｏリング
１４７  Ｙリング（またはＵリング）
１５０，２５０，３５０，４５０  吐出切換弁
１５０ａ，２５０ａ，３５０ａ，４５０ａ  弁体
１５０ｂ  皿部
１５０ｃ  アーム部
１５０ｄ  嵌合孔
１５０ｅ  軸結合部
１５１，２５１，３５１，４５１  切換レバー
１５１ａ  弁軸
１５１ｂ  レバー部
１５１ｃ  指掛け部
１５１ｄ  凹部
１５１ｅ  弾性係止部
２１７ａ，３１７ａ，４１７ａ  （外周側の）流路
２１７ｂ，３１７ｂ，４１７ｂ  （内面側の）流路
２１８，２１９，３１２ｃ，４１２ｄ  流路
【図１】
0004537531.tif 000002
【図２】
0004537531.tif 000003
【図３】
0004537531.tif 000004
【図４】
0004537531.tif 000005
【図５】
0004537531.tif 000006
【図６】
0004537531.tif 000007
【図７】
0004537531.tif 000008
【図８】
0004537531.tif 000009
【図９】
0004537531.tif 000010
【図１０】
0004537531.tif 000011
【図１１】
0004537531.tif 000012
【図１２】
0004537531.tif 000013
【図１３】
0004537531.tif 000014
【図１４】
0004537531.tif 000015
【図１５】
0004537531.tif 000016
【図１６】
0004537531.tif 000017
【図１７】
0004537531.tif 000018
【図１８】
0004537531.tif 000019
【図１９】
0004537531.tif 000020
【図２０】
0004537531.tif 000021
【図２１】
0004537531.tif 000022
【図２２】
0004537531.tif 000023
【図２３】
0004537531.tif 000024
【図２４】
0004537531.tif 000025
【図２５】
0004537531.tif 000026
【図２６】
0004537531.tif 000027
【図２７】
0004537531.tif 000028
【図２８】
0004537531.tif 000029
【図２９】
0004537531.tif 000030
【図３０】
0004537531.tif 000031
【図３１】
0004537531.tif 000032
【図３２】
0004537531.tif 000033
【図３３】
0004537531.tif 000034
【図３４】
0004537531.tif 000035
【図３５】
0004537531.tif 000036
【図３６】
0004537531.tif 000037
【図３７】
0004537531.tif 000038
【図３８】
0004537531.tif 000039
【図３９】
0004537531.tif 000040
【図４０】
0004537531.tif 000041
【図４１】
0004537531.tif 000042
【図４２】
0004537531.tif 000043
【図４３】
0004537531.tif 000044
【図４４】
0004537531.tif 000045
【図４５】
0004537531.tif 000046
【図４６】
0004537531.tif 000047
【図４７】
0004537531.tif 000048
【図４８】
0004537531.tif 000049
【図４９】
0004537531.tif 000050
【図５０】
0004537531.tif 000051
【図５１】
0004537531.tif 000052
【図５２】
0004537531.tif 000053
【図５３】
0004537531.tif 000054
【図５４】
0004537531.tif 000055
【図５５】
0004537531.tif 000056
【図５６】
0004537531.tif 000057
【図５７】
0004537531.tif 000058
【図５８】
0004537531.tif 000059
【図５９】
0004537531.tif 000060
【図６０】
0004537531.tif 000061
【図６１】
0004537531.tif 000062
【図６２】
0004537531.tif 000063
【図６３】
0004537531.tif 000064
【図６４】
0004537531.tif 000065
【図６５】
0004537531.tif 000066
【図６６】
0004537531.tif 000067
【図６７】
0004537531.tif 000068
【図６８】
0004537531.tif 000069
【図６９】
0004537531.tif 000070
【図７０】
0004537531.tif 000071
【図７１】
0004537531.tif 000072
【図７２】
0004537531.tif 000073
【図７３】
0004537531.tif 000074
【図７４】
0004537531.tif 000075
【図７５】
0004537531.tif 000076
【図７６】
0004537531.tif 000077
【図７７】
0004537531.tif 000078
【図７８】
0004537531.tif 000079
【図７９】
0004537531.tif 000080
【図８０】
0004537531.tif 000081
【図８１】
0004537531.tif 000082
【図８２】
0004537531.tif 000083
【図８３】
0004537531.tif 000084
【図８４】
0004537531.tif 000085
【図８５】
0004537531.tif 000086
【図８６】
0004537531.tif 000087
【図８７】
0004537531.tif 000088
【図８８】
0004537531.tif 000089
【図８９】
0004537531.tif 000090
【図９０】
0004537531.tif 000091
【図９１】
0004537531.tif 000092
【図９２】
0004537531.tif 000093
【図９３】
0004537531.tif 000094
【図９４】
0004537531.tif 000095
【図９５】
0004537531.tif 000096
【図９６】
0004537531.tif 000097
【図９７】
0004537531.tif 000098
【図９８】
0004537531.tif 000099
【図９９】
0004537531.tif 000100